(57)【要約】【課題】利便性または信頼性に優れた新規な表示パネルを提供する。【解決手段】第１の駆動回路と、第２の駆動回路と、第１の走査線と、第２の走査線と、第１の信号線と、を有する表示パネルであって、第１の駆動回路は選択信号を供給する。第２の駆動回路は所定の電圧を供給し、第１の情報を所定の電圧以上の電圧を用いて供給し、第２の情報を所定の電圧以下の電圧を用いて供給する。また、第１の走査線は第１の期間に選択される。第２の走査線は第３の期間に選択され、第２の走査線は第１の走査線と隣接する。第１の信号線は第１の情報を第１の期間に供給され、所定の電圧を第２の期間に供給され、第２の情報を第３の期間に供給される。第２の期間は第１の期間および第３の期間の間に設けられる。【選択図】図１
2019015963.tif 000002
【特許請求の範囲】
【請求項１】
第１の駆動回路と、
第２の駆動回路と、
第１の走査線と、
第２の走査線と、
第１の信号線と、を有し、
前記第１の駆動回路は、選択信号を供給し、
前記第２の駆動回路は、所定の電圧を供給し、
前記第２の駆動回路は、第１の情報を前記所定の電圧以上の電圧を用いて供給し、
前記第２の駆動回路は、第２の情報を前記所定の電圧以下の電圧を用いて供給し、
前記第１の走査線は、第１の期間に選択され、
前記第２の走査線は、第３の期間に選択され、
前記第２の走査線は、前記第１の走査線と隣接し、
前記第１の信号線は、前記第１の情報を前記第１の期間に供給され、
前記第１の信号線は、前記所定の電圧を第２の期間に供給され、
前記第１の信号線は、前記第２の情報を前記第３の期間に供給され、
前記第２の期間は、前記第１の期間および前記第３の期間の間に設けられる、表示パネル。
【請求項２】
制御回路を有し、
前記制御回路は、制御信号を供給し、
前記第２の駆動回路は、前記制御信号に基づいて前記第１の情報、前記所定の電圧および前記第２の情報を供給し、
前記第２の期間は、０より長く、前記第１の情報を供給する期間の２倍以下の長さを備える、請求項１に記載の表示パネル。
【請求項３】
前記第２の駆動回路は、第３の情報を前記所定の電圧以下の電圧を用いて供給し、
前記第２の駆動回路は、第４の情報を前記所定の電圧以上の電圧を用いて供給し、
前記第１の走査線は、第４の期間に選択され、
前記第２の走査線は、第６の期間に選択され、
前記第１の信号線は、前記第３の情報を前記第４の期間に供給され、
前記第１の信号線は、前記所定の電圧を第５の期間に供給され、
前記第１の信号線は、前記第４の情報を前記第６の期間に供給され、
前記第４の期間は、前記第３の期間の直後に設けられ、
前記第５の期間は、前記第４の期間および前記第６の期間の間に設けられる、請求項１または請求項２に記載の表示パネル。
【請求項４】
第２の信号線を有し、
前記第２の駆動回路は、第５の情報を前記所定の電圧以下の電圧を用いて供給し、
前記第２の駆動回路は、第６の情報を前記所定の電圧以上の電圧を用いて供給し、
前記第２の信号線は、前記第１の信号線と隣接し、
前記第２の信号線は、前記第５の情報を前記第１の期間に供給され、
前記第２の信号線は、前記所定の電圧を前記第２の期間に供給され、
前記第２の信号線は、前記第６の情報を前記第３の期間に供給される、請求項１乃至請求項３のいずれか一に記載の表示パネル。
【請求項５】
第１の一群の走査線と、
第２の一群の走査線と、を有し、
前記第１の一群の走査線は、前記第１の走査線を含み、
前記第２の一群の走査線は、前記第２の走査線を含み、
前記第１の駆動回路は、前記第１の期間に、前記第１の一群の走査線から一ずつ順番に選択し、
前記第１の駆動回路は、前記第３の期間に、前記第２の一群の走査線から一ずつ順番に選択する、請求項１乃至請求項４のいずれか一に記載の表示パネル。
【請求項６】
表示領域を有し、
前記表示領域は、第１の一群の画素、第２の一群の画素および第３の一群の画素を備え、
前記第１の一群の画素は、行方向に配設され、
前記第１の一群の画素は、第１の画素を含み、
前記第１の一群の画素は、前記第１の走査線と電気的に接続され、
前記第２の一群の画素は、行方向に配設され、
前記第２の一群の画素は、第２の画素を含み、
前記第２の一群の画素は、前記第２の走査線と電気的に接続され、
前記第３の一群の画素は、行方向と交差する列方向に配設され、
前記第３の一群の画素は、前記第１の画素および前記第２の画素を含み、
前記第３の一群の画素は、前記第１の信号線と電気的に接続される、請求項１乃至請求項５のいずれか一に記載の表示パネル。
【請求項７】
前記画素は、機能層および表示素子を備え、
前記機能層は、画素回路を備え、
前記画素回路は、前記表示素子と電気的に接続され、
前記表示素子は、液晶材料を含む層を備える、請求項６に記載の表示パネル。
【請求項８】
前記画素回路は、トランジスタを含み、
前記トランジスタは、半導体を備え、
前記半導体は、水素化アモルファスシリコンを含む、請求項７に記載の表示パネル。
【請求項９】
前記第１の走査線は、１Ｈｚ以下または３０Ｈｚ以上の頻度で選択され、
前記第２の走査線は、前記第１の走査線と同じ頻度で選択され、
前記画素回路は、トランジスタを含み、
前記トランジスタは、半導体を備え、
前記半導体は、酸化物半導体を含む、請求項７に記載の表示パネル。
【請求項１０】
請求項１乃至請求項９のいずれか一に記載の表示パネルと、
制御部と、を有し、
前記制御部は、画像情報および制御情報を供給され、
前記制御部は、前記画像情報に基づいて情報を生成し、
前記制御部は、前記情報を供給し、
前記表示パネルは、前記情報を供給され、
前記画素は、前記情報に基づいて表示する、表示装置。
【請求項１１】
入力部と、表示部と、を有し、
前記表示部は、請求項１乃至請求項９のいずれか一に記載の表示パネルを備え、
前記入力部は、検知領域を備え、
前記入力部は、前記検知領域に近接するものを検知し、
前記検知領域は、前記画素と重なる領域を備える入出力装置。
【請求項１２】
キーボード、ハードウェアボタン、ポインティングデバイス、タッチセンサ、照度センサ、撮像装置、音声入力装置、視線入力装置、姿勢検出装置、のうち一以上と、請求項１乃至請求項９のいずれか一に記載の表示パネルと、を含む、情報処理装置。
【発明の詳細な説明】
【技術分野】
【０００１】
本発明の一態様は、表示パネル、表示装置、入出力装置、情報処理装置または表示装置の駆動方法に関する。
【０００２】
なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、蓄電装置、記憶装置、それらの駆動方法、または、それらの製造方法、を一例として挙げることができる。
【背景技術】
【０００３】
オフ電流の低い酸化物半導体を有するトランジスタを用いて、回路を構成する。回路として、画素回路の他に、プリチャージ回路または検査回路を形成する液晶表示装置が知られている（特許文献１）。酸化物半導体を用いているため、オフ電流が低く、そのため、プリチャージ回路や検査回路において、信号や電圧が漏れて、表示に不具合を起こすという可能性が低い。その結果、正確な表示を行う表示装置を提供することが出来る。
【先行技術文献】
【特許文献】
【０００４】
【特許文献１】特開２０１１−１８６４５０号公報
【発明の概要】
【発明が解決しようとする課題】
【０００５】
本発明の一態様は、利便性または信頼性に優れた新規な表示パネルを提供することを課題の一とする。または、利便性または信頼性に優れた新規な表示装置を提供することを課題の一とする。または、利便性または信頼性に優れた新規な入出力装置を提供することを課題の一とする。または、利便性または信頼性に優れた新規な情報処理装置を提供することを課題の一とする。または、新規な表示パネル、新規な表示装置、新規な入出力装置、新規な情報処理装置または新規な半導体装置を提供することを課題の一とする。
【０００６】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００７】
（１）本発明の一態様は、第１の駆動回路と、第２の駆動回路と、第１の走査線と、第２の走査線と、第１の信号線と、を有する表示パネルである。
【０００８】
第１の駆動回路は、選択信号を供給する。
【０００９】
第２の駆動回路は所定の電圧を供給し、第２の駆動回路は第１の情報を所定の電圧以上の電圧を用いて供給する。また、第２の駆動回路は第２の情報を所定の電圧以下の電圧を用いて供給する。
【００１０】
第１の走査線は第１の期間に選択される。第２の走査線は第３の期間に選択され、第２の走査線は第１の走査線と隣接する。
【００１１】
第１の信号線は第１の情報を第１の期間に供給され、第１の信号線は所定の電圧を第２の期間に供給され、第１の信号線は第２の情報を第３の期間に供給される。
【００１２】
第２の期間は第１の期間および第３の期間の間に設けられる。
【００１３】
これにより、第１の期間に、第１の情報を所定の電圧以上の電圧を用いて供給し、第３の期間に、第２の情報を所定の電圧以下の電圧を用いて供給し、第１の期間と第３の期間の間に設ける第２の期間に、所定の電位を供給することができる。
【００１４】
または、第１の情報とは極性が異なる電圧を用いて、第２の情報を供給することができる。
【００１５】
または、第１の信号線に供給する電圧を反転する前に、所定の電圧を第１の信号線に供給することができる。または、第１の信号線に供給する電圧を反転する際に、第２の駆動回路に加わる負荷を時間的に分散することができる。または、第１の信号線に供給する電圧を反転する際に、第２の駆動回路の駆動能力が不足しないようにすることができる。または、例えば、極性を反転する直前における第１の情報を供給する電圧が、極性を反転した直後における第２の情報を供給する電圧に与える影響を低減することができる。
【００１６】
その結果、利便性または信頼性に優れた新規な表示パネルを提供することができる。
【００１７】
（２）また、本発明の一態様は、制御回路を有する上記の表示パネルである。
【００１８】
制御回路は制御信号を供給する。
【００１９】
第２の駆動回路は制御信号に基づいて第１の情報、所定の電圧および第２の情報を供給する。
【００２０】
第２の期間は、０より長く、第１の情報を供給する期間の２倍以下の長さを備える。
【００２１】
これにより、第１の信号線の電圧を所定の電圧に近づけることができる。または、第２の駆動回路の駆動能力が不足しないように、第１の情報を供給する期間を短くすることができる。または、第１の期間を短くすることができる。その結果、利便性または信頼性に優れた新規な表示パネルを提供することができる。
【００２２】
（３）また、本発明の一態様は、第２の駆動回路が第３の情報を所定の電圧以下の電圧を用いて供給し、第４の情報を所定の電圧以上の電圧を用いて供給する上記の表示パネルである。
【００２３】
第１の走査線は第４の期間に選択され、第２の走査線は第６の期間に選択される。
【００２４】
第１の信号線は第３の情報を第４の期間に供給され、第１の信号線は所定の電圧を第５の期間に供給され、第１の信号線は第４の情報を第６の期間に供給される。
【００２５】
第４の期間は第３の期間の直後に設けられ、第５の期間は第４の期間および第６の期間の間に設けられる。
【００２６】
これにより、第４の期間に、第３の情報を所定の電圧以上の電圧を用いて供給し、第６の期間に、第４の情報を所定の電圧以下の電圧を用いて供給し、第４の期間と第６の期間の間に設ける第５の期間に、所定の電位を供給することができる。
【００２７】
または、第３の情報とは極性が異なる電圧を用いて、第４の情報を供給することができる。
【００２８】
または、第１の信号線に供給する電圧を反転する前に、所定の電圧を第１の信号線に供給することができる。または、第１の信号線に供給する電圧を反転する際に、第２の駆動回路に加わる負荷を時間的に分散することができる。または、第１の信号線に供給する電圧を反転する際に、第２の駆動回路の駆動能力が不足しないようにすることができる。または、例えば、極性を反転する直前における第１の情報を供給する電圧が、極性を反転した直後における第２の情報を供給する電圧に与える影響を低減することができる。
【００２９】
または、第２の情報と極性が同じ電圧を用いて、第３の情報を供給することができる。または、極性が第２の情報と同じ電圧を用いて供給する第３の情報を、第２の情報に連続して第１の信号線に供給することができる。または、所定の電圧の供給に要する時間を短縮することができる。
【００３０】
その結果、利便性または信頼性に優れた新規な表示パネルを提供することができる。
【００３１】
（４）また、本発明の一態様は、第２の信号線を有する上記の表示パネルである。
【００３２】
第２の駆動回路は第５の情報を所定の電圧以下の電圧を用いて供給し、第２の駆動回路は第６の情報を所定の電圧以上の電圧を用いて供給する。
【００３３】
第２の信号線は第１の信号線と隣接し、第２の信号線は第５の情報を第１の期間に供給され、第２の信号線は所定の電圧を第２の期間に供給され、第２の信号線は第６の情報を第３の期間に供給される。
【００３４】
これにより、第１の期間に、第５の情報を所定の電圧以下の電圧を用いて供給し、第３の期間に、第６の情報を所定の電圧以上の電圧を用いて供給し、第１の期間と第３の期間の間に設ける第２の期間に、所定の電位を供給することができる。
【００３５】
または、第５の情報とは極性が異なる電圧を用いて、第６の情報を供給することができる。
【００３６】
または、第２の信号線に供給する電圧を反転する前に、所定の電圧を第２の信号線に供給することができる。または、第２の信号線に供給する電圧を反転する際に、第２の駆動回路に加わる負荷を時間的に分散することができる。または、第２の信号線に供給する電圧を反転する際に、第２の駆動回路の駆動能力が不足しないようにすることができる。または、例えば、極性を反転する直前における第１の情報を供給する電圧が、極性を反転した直後における第２の情報を供給する電圧に与える影響を低減することができる。
【００３７】
または、第１の期間に、第１の信号線に供給する第１の情報とは極性が異なる電圧を用いて、第２の信号線に第５の情報を供給することができる。または、第３の期間に、第１の信号線に供給する第２の情報とは極性が異なる電圧を用いて、第２の信号線に第６の情報を供給することができる。
【００３８】
その結果、利便性または信頼性に優れた新規な表示パネルを提供することができる。
【００３９】
（５）また、本発明の一態様は、第１の一群の走査線と、第２の一群の走査線と、を有する上記の表示パネルである。
【００４０】
第１の一群の走査線は第１の走査線を含み、第２の一群の走査線は、第２の走査線を含む。
【００４１】
第１の駆動回路は、第１の期間に、第１の一群の走査線から一ずつ順番に選択し、第１の駆動回路は、第３の期間に、第２の一群の走査線から一ずつ順番に選択する。
【００４２】
これにより、第１の一群の走査線に選択信号を順番に供給する第１の期間とは異なる第３の期間に、第２の一群の走査線に選択信号を順番に供給することができる。
【００４３】
または、第１の期間に選択信号を順番に供給する第１の一群の走査線とは異なる第２の一群の走査線に、第３の期間に選択信号を順番に供給することができる。
【００４４】
または、第１の駆動回路が選択信号を供給しない第２の期間を、第１の期間および第３の期間の間に設けることができる。または、第２の駆動回路が所定の電圧を供給する第２の期間を、第１の期間および第３の期間の間に設けることができる。
【００４５】
その結果、利便性または信頼性に優れた新規な表示パネルを提供することができる。
【００４６】
（６）また、本発明の一態様は、表示領域を有する上記の表示パネルである。
【００４７】
表示領域は、第１の一群の画素、第２の一群の画素および第３の一群の画素を備える。
【００４８】
第１の一群の画素は、行方向に配設され、第１の一群の画素は、第１の画素を含み、第１の一群の画素は第１の走査線と電気的に接続される。
【００４９】
第２の一群の画素は、行方向に配設され、第２の一群の画素は、第２の画素を含み、第２の一群の画素は、第２の走査線と電気的に接続される。
【００５０】
第３の一群の画素は、行方向と交差する列方向に配設され、第３の一群の画素は、第１の画素および第２の画素を含み、第３の一群の画素は、第１の信号線と電気的に接続される。
【００５１】
これにより、極性を反転した直後において、第２の情報を劣化することなく画素に供給することができる。または、第１の信号線と電気的に接続される第３の一群の画素の数を増やすことができる。その結果、利便性または信頼性に優れた新規な表示パネルを提供することができる。
【００５２】
（７）また、本発明の一態様は、画素が機能層および表示素子を備える上記の表示パネルである。
【００５３】
機能層は画素回路を備え、画素回路は表示素子と電気的に接続され、表示素子は液晶材料を含む層を備える。
【００５４】
これにより、液晶材料を含む層に極性が反転する電界を、印加することができる。または、表示素子に生じる表示特性の不可逆な変化を抑制することができる。または、表示素子の焼き付きを防止することができる。または、画素回路に電流駆動能力が低いトランジスタを用いて、液晶材料を含む層に極性が反転する電界を印加することができる。その結果、利便性または信頼性に優れた新規な表示パネルを提供することができる。
【００５５】
（８）また、本発明の一態様は、画素回路がトランジスタを含み、トランジスタは半導体を備え、半導体は水素化アモルファスシリコンを含む、上記の表示パネルである。
【００５６】
これにより、例えば、水素化アモルファスシリコンを利用したトランジスタを画素回路に用いることができる。または、極性を反転した直後において、第２の情報を劣化することなく画素に供給することができる。または、第１の信号線と電気的に接続される第３の一群の画素の数を増やすことができる。その結果、利便性または信頼性に優れた新規な表示パネルを提供することができる。
【００５７】
（９）また、本発明の一態様は、第１の走査線が１Ｈｚ以下または３０Ｈｚ以上の頻度で選択される上記の表示パネルである。
【００５８】
第２の走査線は第１の走査線と同じ頻度で選択され、画素回路はトランジスタを含み、トランジスタは半導体を備え、半導体は酸化物半導体を含む。
【００５９】
これにより、チラツキを抑制することができる。または、消費電力を低減することができる。または、動きの速い動画を滑らかに表示することができる。または、豊かな階調で写真等を表示することができる。その結果、利便性または信頼性に優れた新規な表示パネルを提供することができる。
【００６０】
（１０）また、本発明の一態様は、上記の表示パネルと、制御部と、を有する表示装置である。
【００６１】
制御部は画像情報および制御情報を供給され、制御部は画像情報に基づいて情報を生成し、制御部は情報を供給する。
【００６２】
表示パネルは情報を供給され、画素は情報に基づいて表示する。
【００６３】
これにより、表示素子を用いて画像情報を表示することができる。その結果、利便性または信頼性に優れた新規な表示装置を提供することができる。
【００６４】
（１１）また、本発明の一態様は、入力部と、表示部と、を有する入出力装置である。
【００６５】
表示部は、上記の表示パネルを備える。
【００６６】
入力部は検知領域を備え、入力部は検知領域に近接するものを検知する。
【００６７】
検知領域は画素と重なる領域を備える。
【００６８】
これにより、表示部を用いて画像情報を表示しながら、表示部と重なる領域に近接するものを検知することができる。または、表示部に近接させる指などをポインタに用いて、位置情報を入力することができる。または、位置情報を表示部に表示する画像情報に関連付けることができる。その結果、利便性または信頼性に優れた新規な入出力装置を提供することができる。
【００６９】
（１２）また、本発明の一態様は、キーボード、ハードウェアボタン、ポインティングデバイス、タッチセンサ、照度センサ、撮像装置、音声入力装置、視線入力装置、姿勢検出装置、のうち一以上と、上記に記載の表示パネルと、を含む、情報処理装置である。
【００７０】
これにより、さまざまな入力装置を用いて供給する情報に基づいて、画像情報または制御情報を演算装置に生成させることができる。その結果、利便性または信頼性に優れた新規な情報処理装置を提供することができる。
【００７１】
本明細書に添付した図面では、構成要素を機能ごとに分類し、互いに独立したブロックとしてブロック図を示しているが、実際の構成要素は機能ごとに完全に切り分けることが難しく、一つの構成要素が複数の機能に係わることもあり得る。
【００７２】
本明細書においてトランジスタが有するソースとドレインは、トランジスタの極性及び各端子に与えられる電位の高低によって、その呼び方が入れ替わる。一般的に、ｎチャネル型トランジスタでは、低い電位が与えられる端子がソースと呼ばれ、高い電位が与えられる端子がドレインと呼ばれる。また、ｐチャネル型トランジスタでは、低い電位が与えられる端子がドレインと呼ばれ、高い電位が与えられる端子がソースと呼ばれる。本明細書では、便宜上、ソースとドレインとが固定されているものと仮定して、トランジスタの接続関係を説明する場合があるが、実際には上記電位の関係に従ってソースとドレインの呼び方が入れ替わる。
【００７３】
本明細書においてトランジスタのソースとは、活性層として機能する半導体膜の一部であるソース領域、或いは上記半導体膜に接続されたソース電極を意味する。同様に、トランジスタのドレインとは、上記半導体膜の一部であるドレイン領域、或いは上記半導体膜に接続されたドレイン電極を意味する。また、ゲートはゲート電極を意味する。
【００７４】
本明細書においてトランジスタが直列に接続されている状態とは、例えば、第１のトランジスタのソースまたはドレインの一方のみが、第２のトランジスタのソースまたはドレインの一方のみに接続されている状態を意味する。また、トランジスタが並列に接続されている状態とは、第１のトランジスタのソースまたはドレインの一方が第２のトランジスタのソースまたはドレインの一方に接続され、第１のトランジスタのソースまたはドレインの他方が第２のトランジスタのソースまたはドレインの他方に接続されている状態を意味する。
【００７５】
本明細書において接続とは、電気的な接続を意味しており、電流、電圧または電位が、供給可能、或いは伝送可能な状態に相当する。従って、接続している状態とは、直接接続している状態を必ずしも指すわけではなく、電流、電圧または電位が、供給可能、或いは伝送可能であるように、配線、抵抗、ダイオード、トランジスタなどの回路素子を介して間接的に接続している状態も、その範疇に含む。
【００７６】
本明細書において回路図上は独立している構成要素どうしが接続されている場合であっても、実際には、例えば配線の一部が電極として機能する場合など、一の導電膜が、複数の構成要素の機能を併せ持っている場合もある。本明細書において接続とは、このような、一の導電膜が、複数の構成要素の機能を併せ持っている場合も、その範疇に含める。
【００７７】
また、本明細書中において、トランジスタの第１の電極または第２の電極の一方がソース電極を、他方がドレイン電極を指す。
【発明の効果】
【００７８】
本発明の一態様によれば、利便性または信頼性に優れた新規な表示パネルを提供することができる。または、利便性または信頼性に優れた新規な表示装置を提供することができる。または、利便性または信頼性に優れた新規な入出力装置を提供することができる。または、利便性または信頼性に優れた新規な情報処理装置を提供することができる。または、新規な表示パネル、新規な表示装置、新規な入出力装置、新規な情報処理装置または新規な半導体装置を提供することができる。
【００７９】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００８０】
【図１】実施の形態に係る表示パネルを説明するブロック図。
【図２】実施の形態に係る表示パネルの動作を説明するタイミングチャート。
【図３】実施の形態に係る表示パネルの動作を説明する模式図。
【図４】実施の形態に係る表示パネルの構成を説明する図。
【図５】実施の形態に係る表示パネルの構成を説明する断面図および回路図。
【図６】実施の形態に係る画素の構成を説明する断面図。
【図７】実施の形態に係る表示装置の構成を説明する図。
【図８】実施の形態に係る入出力装置の構成を説明するブロック図。
【図９】実施の形態に係る情報処理装置の構成を説明するブロック図および投影図。
【図１０】実施の形態に係る情報処理装置の駆動方法を説明するフローチャート。
【図１１】実施の形態に係る情報処理装置の駆動方法を説明する図。
【図１２】実施の形態に係る情報処理装置の人工知能部を説明する図。
【図１３】実施の形態に係る情報処理装置の構成を説明する図。
【図１４】実施の形態に係る情報処理装置の構成を説明する図。
【発明を実施するための形態】
【００８１】
本発明の一態様の表示パネルは、第１の駆動回路と、第２の駆動回路と、第１の走査線と、第２の走査線と、第１の信号線と、を有する。第１の駆動回路は選択信号を供給する。
【００８２】
第２の駆動回路は所定の電圧を供給し、第２の駆動回路は第１の情報を所定の電圧以上の電圧を用いて供給し、第２の駆動回路は第２の情報を所定の電圧以下の電圧を用いて供給する。
【００８３】
また、第１の走査線は第１の期間に選択される。第２の走査線は第３の期間に選択され、第２の走査線は第１の走査線と隣接する。
【００８４】
第１の信号線は第１の情報を第１の期間に供給され、第１の信号線は所定の電圧を第２の期間に供給され、第１の信号線は第２の情報を第３の期間に供給される。第２の期間は第１の期間および第３の期間の間に設けられる。
【００８５】
これにより、第１の期間に、第１の情報を所定の電圧以上の電圧を用いて供給し、第３の期間に、第２の情報を所定の電圧以下の電圧を用いて供給し、第１の期間と第３の期間の間に設ける第２の期間に、所定の電位を供給することができる。
【００８６】
または、第１の情報とは極性が異なる電圧を用いて、第２の情報を供給することができる。
【００８７】
または、第１の信号線に供給する電圧を反転する前に、所定の電圧を第１の信号線に供給することができる。または、第１の信号線に供給する電圧を反転する際に、第２の駆動回路に加わる負荷を時間的に分散することができる。または、第１の信号線に供給する電圧を反転する際に、第２の駆動回路の駆動能力が不足しないようにすることができる。または、例えば、極性を反転する直前における第１の情報を供給する電圧が、極性を反転した直後における第２の情報を供給する電圧に与える影響を低減することができる。
【００８８】
その結果、利便性または信頼性に優れた新規な表示パネルを提供することができる。
【００８９】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００９０】
（実施の形態１）
本実施の形態では、本発明の一態様の表示パネルの構成について、図１乃至図３を参照しながら説明する。
【００９１】
図１は本発明の一態様の表示パネルの構成を説明するブロック図である。
【００９２】
図２は本発明の一態様の表示パネルの動作を説明するタイミングチャート図である。
【００９３】
図３は本発明の一態様の表示パネルの動作を説明する模式図である。図３（Ａ）は本発明の一態様の表示パネルの動作を説明する模式図であり、図３（Ｂ）は図３（Ａ）とは異なる動作を説明する模式図である。
【００９４】
なお、本明細書において、１以上の整数を値にとる変数を符号に用いる場合がある。例えば、１以上の整数の値をとる変数ｐを含む（ｐ）を、最大ｐ個の構成要素のいずれかを特定する符号の一部に用いる場合がある。また、例えば、１以上の整数の値をとる変数ｍおよび変数ｎを含む（ｍ，ｎ）を、最大ｍ×ｎ個の構成要素のいずれかを特定する符号の一部に用いる場合がある。
【００９５】
＜表示パネルの構成例１．＞
本実施の形態で説明する表示パネル７００は、駆動回路ＧＤ１と、駆動回路ＳＤ１と、走査線Ｇ１（ｉ）と、走査線Ｇ１（ｉ＋１）と、信号線Ｓ１（ｊ）と、を有する（図１参照）。なお、走査線Ｇ１（ｉ）および走査線Ｇ１（ｉ＋１）は、一群の走査線Ｇ１（ｇ＋１）乃至走査線Ｇ１（２ｇ）に含まれる。なお、例えば、ｉは１以上（ｍ−１）以下の整数であり、ｊは１以上（ｎ−１）以下の整数であり、ｍおよびｎは１以上の整数である。また、例えば、ｇは１以上（ｍ／２）以下の整数である。
【００９６】
《駆動回路ＧＤ１の構成例１．》
駆動回路ＧＤ１は、選択信号を供給する。例えば、矩形波を選択信号に用いることができる。具体的には、走査線Ｇ１（ｇ）乃至走査線Ｇ１（２ｇ＋１）に供給する選択信号の波形を図２に示す。
【００９７】
例えば、制御信号ＳＰに基づいて、３０Ｈｚ以上、好ましくは６０Ｈｚ以上の頻度で一の走査線に選択信号を供給する機能を備える。これにより、動画像をなめらかに表示することができる。
【００９８】
例えば、制御信号ＳＰに基づいて、３０Ｈｚ未満、好ましくは１Ｈｚ未満、より好ましくは一分に一回未満の頻度で一の走査線に選択信号を供給する機能を備える。これにより、フリッカーが抑制された状態で静止画像を表示することができる。
【００９９】
これにより、チラツキを抑制することができる。または、消費電力を低減することができる。または、動きの速い動画を滑らかに表示することができる。または、豊かな階調で写真等を表示することができる。その結果、利便性または信頼性に優れた新規な表示装置を提供することができる。
【０１００】
《駆動回路ＳＤ１の構成例１．》
駆動回路ＳＤ１は、所定の電圧ＶＣＯＭ１を供給する。
【０１０１】
駆動回路ＳＤ１は、第１の情報を所定の電圧ＶＣＯＭ１以上の電圧を用いて供給する。例えば、信号Ｖ１１（ｊ）（ｇ＋１）は第１の情報を含む。
【０１０２】
駆動回路ＳＤ１は、第２の情報を所定の電圧ＶＣＯＭ１以下の電圧を用いて供給する。例えば、信号Ｖ１１（ｊ）（ｇ＋２）は第２の情報を含む。なお、第２の情報の極性は、第１の情報の極性と比較して、反転しているということができる。
【０１０３】
駆動回路ＳＤ１は、情報Ｖ１１に基づいて画像信号を供給する機能を有する。
【０１０４】
駆動回路ＳＤ１は、画像信号を生成する機能と、当該画像信号を一の表示素子と電気的に接続される画素回路に供給する機能を備える。
【０１０５】
例えば、シフトレジスタ等のさまざまな順序回路等を駆動回路ＳＤ１に用いることができる。
【０１０６】
例えば、シリコン基板上に形成された集積回路を駆動回路ＳＤ１に用いることができる。
【０１０７】
例えば、ＣＯＧ（Ｃｈｉｐ  ｏｎ  ｇｌａｓｓ）法またはＣＯＦ（Ｃｈｉｐ  ｏｎ  Ｆｉｌｍ）法を用いて、集積回路を端子に実装することができる。具体的には、異方性導電膜を用いて、集積回路を端子に実装することができる。
【０１０８】
《走査線Ｇ１（ｉ）および走査線Ｇ１（ｉ＋１）の構成例１．》
走査線Ｇ１（ｉ）は、期間Ｔ１に選択される。走査線Ｇ１（ｉ＋１）は、期間Ｔ３に選択される。なお、走査線Ｇ１（ｉ＋１）は、走査線Ｇ１（ｉ）と隣接する（図１参照）。
【０１０９】
例えば、走査線Ｇ１（ｇ＋１）は期間Ｔ１に選択され、走査線Ｇ１（ｇ＋２）は期間Ｔ３に選択される（図２参照）。また、走査線Ｇ１（ｇ＋２）は走査線Ｇ１（ｇ＋１）と隣接する。
【０１１０】
《信号線Ｓ１（ｊ）の構成例１．》
信号線Ｓ１（ｊ）は、第１の情報を期間Ｔ１に供給される。例えば、第１の情報を含む信号Ｖ１１（ｊ）（ｇ＋１）を期間Ｔ１に供給される（図２参照）。
【０１１１】
信号線Ｓ１（ｊ）は、所定の電圧ＶＣＯＭ１を期間Ｔ２に供給される。
【０１１２】
信号線Ｓ１（ｊ）は、第２の情報を期間Ｔ３に供給される。例えば、第２の情報を含む信号Ｖ１１（ｊ）（ｇ＋２）を期間Ｔ３に供給される。
【０１１３】
《期間Ｔ１、期間Ｔ２および期間Ｔ３》
期間Ｔ２は、期間Ｔ１および期間Ｔ３の間に設けられる。言い換えると、期間Ｔ１と期間Ｔ３の間において、期間Ｔ２が設けられ、期間Ｔ２において極性は反転する。例えば、状態Ａ２は期間Ｔ１の終了時の状態を説明する模式図であり、状態Ａ３は期間Ｔ３の終了時の状態を説明する模式図である（図３（Ａ）参照）。また、例えば、状態Ｂ２は期間Ｔ１の終了時の状態を説明する模式図であり、状態Ｂ３は期間Ｔ３の終了時の状態を説明する模式図である（図３（Ｂ）参照）。
【０１１４】
これにより、期間Ｔ１に、第１の情報を所定の電圧ＶＣＯＭ１以上の電圧を用いて供給し、期間Ｔ３に、第２の情報を所定の電圧ＶＣＯＭ１以下の電圧を用いて供給し、期間Ｔ１と期間Ｔ３の間に設ける期間Ｔ２に、所定の電位を供給することができる。または、第１の情報とは極性が異なる電圧を用いて、第２の情報を供給することができる。または、信号線Ｓ１（ｊ）に供給する電圧を反転する前に、所定の電圧ＶＣＯＭ１を信号線Ｓ１（ｊ）に供給することができる。または、信号線Ｓ１（ｊ）に供給する電圧を反転する際に、駆動回路ＳＤ１に加わる負荷を時間的に分散することができる。または、信号線Ｓ１（ｊ）に供給する電圧を反転する際に、駆動回路ＳＤ１の駆動能力が不足しないようにすることができる。または、例えば、極性を反転する直前における第１の情報を供給する電圧が、極性を反転した直後における第２の情報を供給する電圧に与える影響を低減することができる。その結果、利便性または信頼性に優れた新規な表示パネルを提供することができる。
【０１１５】
＜表示パネルの構成例２．＞
また、表示パネル７００は、制御回路２３３を有する（図１参照）。
【０１１６】
《制御回路２３３》
制御回路２３３は情報Ｖ１１および制御信号ＳＰを供給する。
【０１１７】
例えば、情報Ｖ１１は画像情報を含む。
【０１１８】
制御回路２３３は制御信号ＳＰを供給する機能を備える。例えば、クロック信号またはタイミング信号などを制御信号ＳＰに用いることができる。具体的には、駆動回路ＧＤ１または駆動回路ＳＤ１の動作を開始するスタートパルスを制御信号ＳＰに用いることができる。これにより、複数の駆動回路の動作を同期することができる。
【０１１９】
例えば、タイミングコントローラを制御回路２３３に用いることができる。
【０１２０】
例えば、リジッド基板に実装された制御回路２３３を表示パネルに用いることができる。なお、リジッド基板に実装された制御回路２３３を、フレキシブルプリント基板を用いて駆動回路ＳＤ１に、電気的に接続することができる。
【０１２１】
《駆動回路ＳＤ１》
駆動回路ＳＤ１は制御信号ＳＰに基づいて第１の情報、所定の電圧ＶＣＯＭおよび第２の情報を供給する。例えば、第１の情報を含む信号Ｖ１１（ｊ）（ｇ＋１）を供給する（図２参照）。
【０１２２】
期間Ｔ２は、０より長く、第１の情報を供給する期間Ｔ１１の２倍以下、例えば、期間Ｔ２は、期間Ｔ１１の０．４倍以上１倍以下、好ましくは０．５倍以上０．８倍以下の長さを備える。
【０１２３】
これにより、信号線Ｓ１（ｊ）の電圧を所定の電圧ＶＣＯＭに近づけることができる。または、駆動回路ＳＤ１の駆動能力が不足しないように、第１の情報を供給する期間Ｔ１１を短くすることができる。または、期間Ｔ１を短くすることができる。その結果、利便性または信頼性に優れた新規な表示パネルを提供することができる。
【０１２４】
《駆動回路ＳＤ１の構成例２．》
駆動回路ＳＤ１は、第３の情報を所定の電圧ＶＣＯＭ１以下の電圧を用いて供給する。例えば、信号Ｖ１１（ｊ）（ｇ＋１）は第３の情報を含む（図２参照）。
【０１２５】
駆動回路ＳＤ１は、第４の情報を所定の電圧ＶＣＯＭ１以上の電圧を用いて供給する。例えば、信号Ｖ１１（ｊ）（ｇ＋１）は第４の情報を含む。
【０１２６】
《走査線Ｇ１（ｉ）および走査線Ｇ１（ｉ＋１）の構成例２．》
走査線Ｇ１（ｉ）は、期間Ｔ４に選択される。走査線Ｇ１（ｉ＋１）は、期間Ｔ６に選択される。
【０１２７】
例えば、走査線Ｇ１（ｇ＋１）は期間Ｔ４に選択され、走査線Ｇ１（ｇ＋２）は期間Ｔ６に選択される（図２参照）。
【０１２８】
《信号線Ｓ１（ｊ）の構成例２．》
信号線Ｓ１（ｊ）は、第３の情報を期間Ｔ４に供給される。例えば、第３の情報を含む信号Ｖ１１（ｊ）（ｇ＋１）を期間Ｔ４に供給される。
【０１２９】
信号線Ｓ１（ｊ）は、所定の電圧ＶＣＯＭ１を期間Ｔ５に供給される。
【０１３０】
信号線Ｓ１（ｊ）は、第４の情報を期間Ｔ６に供給される。例えば、第４の情報を含む信号Ｖ１１（ｊ）（ｇ＋２）を期間Ｔ６に供給される。
【０１３１】
《期間Ｔ４、期間Ｔ５および期間Ｔ６》
期間Ｔ４は期間Ｔ３の直後に設けられ、期間Ｔ５は期間Ｔ４および期間Ｔ６の間に設けられる。言い換えると、期間Ｔ３と期間Ｔ４の間において、極性は反転しない。例えば、状態Ａ３は期間Ｔ３の終了時の状態を説明する模式図であり、状態Ａ４は期間Ｔ４の終了時の状態を説明する模式図である（図３（Ａ）参照）。また、例えば、状態Ｂ５は期間Ｔ３の終了時の状態を説明する模式図であり、状態Ｂ６は期間Ｔ４の終了時の状態を説明する模式図である（図３（Ｂ）参照）。
【０１３２】
これにより、期間Ｔ４に、第３の情報を所定の電圧ＶＣＯＭ１以上の電圧を用いて供給し、期間Ｔ６に、第４の情報を所定の電圧ＶＣＯＭ１以下の電圧を用いて供給し、期間Ｔ４と期間Ｔ６の間に設ける期間Ｔ５に、所定の電位を供給することができる。または、第３の情報とは極性が異なる電圧を用いて、第４の情報を供給することができる。または、信号線Ｓ１（ｊ）に供給する電圧を反転する前に、所定の電圧ＶＣＯＭ１を信号線Ｓ１（ｊ）に供給することができる。または、信号線Ｓ１（ｊ）に供給する電圧を反転する際に、駆動回路ＳＤ１に加わる負荷を時間的に分散することができる。または、信号線Ｓ１（ｊ）に供給する電圧を反転する際に、駆動回路ＳＤ１の駆動能力が不足しないようにすることができる。または、第２の情報と極性が同じ電圧を用いて、第３の情報を供給することができる。または、極性が第２の情報と同じ電圧を用いて供給する第３の情報を、第２の情報に連続して信号線Ｓ１（ｊ）に供給することができる。または、所定の電圧ＶＣＯＭ１の供給に要する時間を短縮することができる。その結果、利便性または信頼性に優れた新規な表示パネルを提供することができる。
【０１３３】
＜表示パネルの構成例３．＞
また、表示パネル７００は、信号線Ｓ１（ｊ＋１）を有する（図１参照）。
【０１３４】
駆動回路ＳＤ１は、第５の情報を所定の電圧ＶＣＯＭ１以下の電圧を用いて供給する（図２参照）。例えば、信号Ｖ１１（ｊ＋１）（ｇ＋１）は第５の情報を含む。
【０１３５】
駆動回路ＳＤ１は、第６の情報を所定の電圧ＶＣＯＭ１以上の電圧を用いて供給する。例えば、信号Ｖ１１（ｊ＋１）（ｇ＋２）は第６の情報を含む。なお、第６の情報の極性は、第１の情報の極性と比較して、反転しているということができる。
【０１３６】
《信号線Ｓ１（ｊ＋１）の構成例１．》
信号線Ｓ１（ｊ＋１）は信号線Ｓ１（ｊ）と隣接する。
【０１３７】
信号線Ｓ１（ｊ＋１）は第５の情報を期間Ｔ１に供給され、信号線Ｓ１（ｊ＋１）は所定の電圧ＶＣＯＭ１を期間Ｔ２に供給され、信号線Ｓ１（ｊ＋１）は第６の情報を期間Ｔ３に供給される。
【０１３８】
これにより、期間Ｔ１に、第５の情報を所定の電圧ＶＣＯＭ１以下の電圧を用いて供給し、期間Ｔ３に、第６の情報を所定の電圧ＶＣＯＭ１以上の電圧を用いて供給し、期間Ｔ１と期間Ｔ３の間に設ける期間Ｔ２に、所定の電位を供給することができる。
【０１３９】
または、第５の情報とは極性が異なる電圧を用いて、第６の情報を供給することができる。
【０１４０】
または、信号線Ｓ１（ｊ＋１）に供給する電圧を反転する前に、所定の電圧ＶＣＯＭ１を信号線Ｓ１（ｊ＋１）に供給することができる。または、信号線Ｓ１（ｊ＋１）に供給する電圧を反転する際に、駆動回路ＳＤ１に加わる負荷を時間的に分散することができる。または、信号線Ｓ１（ｊ＋１）に供給する電圧を反転する際に、駆動回路ＳＤ１の駆動能力が不足しないようにすることができる。または、例えば、極性を反転する直前における第１の情報を供給する電圧が、極性を反転した直後における第２の情報を供給する電圧に与える影響を低減することができる。
【０１４１】
または、期間Ｔ１に、信号線Ｓ１（ｊ）に供給する第１の情報とは極性が異なる電圧を用いて、信号線Ｓ１（ｊ＋１）に第５の情報を供給することができる。または、期間Ｔ３に、信号線Ｓ１（ｊ）に供給する第２の情報とは極性が異なる電圧を用いて、信号線Ｓ１（ｊ＋１）に第６の情報を供給することができる。
【０１４２】
その結果、利便性または信頼性に優れた新規な表示パネルを提供することができる。
【０１４３】
＜表示パネルの構成例４．＞
また、表示パネル７００は、第１の一群の走査線と、第２の一群の走査線と、を有する。
【０１４４】
第１の一群の走査線は、走査線Ｇ１（ｉ）を含む（図１参照）。例えば、走査線Ｇ１（ｇ＋１）乃至走査線Ｇ１（２ｇ＋１）を、第１の一群の走査線に用いることができる（図２参照）。具体的には、走査線Ｇ１（ｇ＋１）、走査線Ｇ１（ｇ＋３）および走査線Ｇ１（ｇ＋５）など、走査線Ｇ１（ｇ＋１）から数えて奇数番目に設けられる走査線を第１の一群の走査線に用いることができる。
【０１４５】
第２の一群の走査線は、走査線Ｇ１（ｉ＋１）を含む（図１参照）。例えば、走査線Ｇ１（ｇ＋２）乃至走査線Ｇ１（２ｇ）を、第２の一群の走査線に用いることができる（図２参照）。具体的には、走査線Ｇ１（ｇ＋２）、走査線Ｇ１（ｇ＋４）および走査線Ｇ１（ｇ＋６）など、走査線Ｇ１（ｇ＋１）から数えて偶数番目に設けられる走査線を第２の一群の走査線に用いることができる。
【０１４６】
《駆動回路ＧＤ１の構成例２．》
駆動回路ＧＤ１は、期間Ｔ１に、第１の一群の走査線から一ずつ順番に選択する（図２参照）。
【０１４７】
駆動回路ＧＤ１は、期間Ｔ３に、第２の一群の走査線から一ずつ順番に選択する（図２参照）。
【０１４８】
これにより、第１の一群の走査線に選択信号を順番に供給する期間Ｔ１とは異なる期間Ｔ３に、第２の一群の走査線に選択信号を順番に供給することができる。
【０１４９】
または、期間Ｔ１に選択信号を順番に供給する第１の一群の走査線とは異なる第２の一群の走査線に、期間Ｔ３に選択信号を順番に供給することができる。
【０１５０】
または、駆動回路ＧＤ１が選択信号を供給しない期間Ｔ２を、期間Ｔ１および期間Ｔ３の間に設けることができる。または、駆動回路ＳＤ１が所定の電圧ＶＣＯＭ１を供給する期間Ｔ２を、期間Ｔ１および期間Ｔ３の間に設けることができる。
【０１５１】
その結果、利便性または信頼性に優れた新規な表示パネルを提供することができる。
【０１５２】
［規格］
いわゆる８Ｋテレビジョンや８Ｋテレビジョンモニターは、４３２０の走査線と、７６８０の信号線と、１２０Ｈｚのフレームレートを有する。この場合、選択信号を一の走査線に供給するのに許容される期間は、１／（１２０×４３２０）≒１．９２μｓである。
【０１５３】
［動作例］
一の走査線に選択信号を供給する期間Ｔ１１を１．９μｓにする（図２参照）。なお、１．９μｓは、上述した１．９２μｓの許容される期間より０．０２μｓ短い。
【０１５４】
また、例えば、４３２０の走査線を１８組に分ける。１組あたりの走査線は２４０になる。
【０１５５】
さらに、一組の走査線の奇数番目に配設される１２０を第１の一群の走査線にする。また、一組の走査線の偶数番目に配設される１２０を第２の一群の走査線にする。
【０１５６】
第１の一群の走査線から一ずつ順番に選択信号を供給する場合、期間Ｔ１は、１．９μｓ×１２０＝２２８μｓ以上を要する。
【０１５７】
また、所定の電圧ＶＣＯＭ１を信号線に供給する期間Ｔ２を２．４μｓにする。
【０１５８】
第２の一群の走査線から一ずつ順番に選択信号を供給する場合、期間Ｔ３も、１．９μｓ×１２０＝２２８μｓ以上を要する。
【０１５９】
期間Ｔ１乃至期間Ｔ３の合計は、２２８μｓ＋２．４μｓ＋２２８μｓ＝４５８．４μｓ以上となる。以上の結果から、一組の走査線へ選択信号を供給するのに要する時間は、４５８．４μｓ以上と見積もれる。
【０１６０】
さらに、１８組に分けた４３２０の走査線のすべてに選択信号を供給するのに要する時間、すなわち１フレーム期間は、１８×４５８．４μｓ＝８．２５１２ｍｓ以上と見積もれる。
【０１６１】
なお、フレームレートが１２０Ｈｚである場合の１フレーム期間は８．３３３３ｍｓである。８．３３３３ｍｓは、上述の８．２５１２ｍｓより長い。これにより、上記の動作方法を用いて、フレームレート１２０Ｈｚで、４３２０の走査線に選択信号を供給することができることがわかる。
【０１６２】
＜表示パネルの構成例５．＞
また、表示パネル７００は、表示領域２３１を有する（図１参照）。
【０１６３】
《表示領域２３１》
表示領域２３１は、第１の一群の画素７０２（ｉ，１）乃至画素７０２（ｉ，ｎ）、第２の一群の画素７０２（ｉ＋１，１）乃至画素７０２（ｉ＋１，ｎ）および第３の一群の画素７０２（１，ｊ）乃至画素７０２（ｍ，ｊ）を備える。
【０１６４】
《一群の画素７０２（ｉ，１）乃至画素７０２（ｉ，ｎ）》
第１の一群の画素７０２（ｉ，１）乃至画素７０２（ｉ，ｎ）は行方向（図中に矢印Ｒ１で示す方向）に配設される。
【０１６５】
第１の一群の画素７０２（ｉ，１）乃至画素７０２（ｉ，ｎ）は第１の画素７０２（ｉ，ｊ）を含む。
【０１６６】
第１の一群の画素７０２（ｉ，１）乃至画素７０２（ｉ，ｎ）は、走査線Ｇ１（ｊ）と電気的に接続される。
【０１６７】
《一群の画素７０２（ｉ＋１，１）乃至画素７０２（ｉ＋１，ｎ）》
第２の一群の画素７０２（ｉ＋１，１）乃至画素７０２（ｉ＋１，ｎ）は、行方向に配設される。
【０１６８】
第２の一群の画素７０２（ｉ＋１，１）乃至画素７０２（ｉ＋１，ｎ）は、第２の画素７０２（ｉ＋１，ｊ）を含む。
【０１６９】
第２の一群の画素７０２（ｉ＋１，１）乃至画素７０２（ｉ＋１，ｎ）は、走査線Ｇ１（ｉ＋１）と電気的に接続される。
【０１７０】
《一群の画素７０２（１，ｊ）乃至画素７０２（１，ｎ）》
第３の一群の画素７０２（１，ｊ）乃至画素７０２（１，ｎ）は、行方向と交差する列方向（図中に矢印Ｃ１で示す方向）に配設される。
【０１７１】
第３の一群の画素７０２（１，ｊ）乃至画素７０２（１，ｎ）は、第１の画素７０２（ｉ，ｊ）および第２の画素７０２（ｉ＋１，ｊ）を含む。
【０１７２】
第３の一群の画素７０２（１，ｊ）乃至画素７０２（１，ｎ）は、信号線Ｓ１（ｊ）と電気的に接続される。
【０１７３】
これにより、極性を反転した直後において、第２の情報を劣化することなく画素に供給することができる。または、信号線Ｓ１（ｊ）と電気的に接続される第３の一群の画素の数を増やすことができる。その結果、利便性または信頼性に優れた新規な表示パネルを提供することができる。
【０１７４】
なお、本実施の形態は、本明細書で示す他の実施の形態と適宜組み合わせることができる。
【０１７５】
（実施の形態２）
本実施の形態では、本発明の一態様の表示パネルの構成について、図４乃至図６を参照しながら説明する。
【０１７６】
図４は本発明の一態様の表示パネルの構成を説明する図である。図４（Ａ）は表示パネルの上面図であり、図４（Ｂ）および図４（Ｃ）は図４（Ａ）に示す表示パネルの画素の一部を説明する上面図である。
【０１７７】
図５（Ａ）は図４（Ａ）の切断線Ｘ１−Ｘ２、切断線Ｘ３−Ｘ４、切断線Ｘ９−Ｘ１０における断面図である。また、図５（Ｂ）は表示パネルが備える画素回路の構成を説明する回路図である。
【０１７８】
図６（Ａ）は、本発明の一態様の表示パネルの画素の構成を説明する図である。図６（Ｂ）は、図６（Ａ）に示す画素の一部を説明する断面図である。
【０１７９】
＜表示パネルの構成例６．＞
本実施の形態で説明する表示パネル７００は、画素７０２（ｉ，ｊ）を有する（図４（Ａ）参照）。
【０１８０】
《画素７０２（ｉ，ｊ）の構成例１．》
画素７０２（ｉ，ｊ）は、機能層５２０および表示素子７５０（ｉ，ｊ）を備える（図５（Ａ）参照）。
【０１８１】
《機能層５２０の構成例》
機能層５２０は画素回路５３０（ｉ，ｊ）を備える。
【０１８２】
《画素回路５３０（ｉ，ｊ）の構成例１．》
画素回路５３０（ｉ，ｊ）は表示素子７５０（ｉ，ｊ）と電気的に接続される（図５（Ａ）および図５（Ｂ）参照）。
【０１８３】
例えば、画素回路５３０（ｉ，ｊ）は、開口部５９１Ａにおいて、表示素子７５０（ｉ，ｊ）と電気的に接続される（図６（Ａ）参照）。
【０１８４】
《表示素子７５０の構成例１．》
表示素子７５０（ｉ，ｊ）は、例えば、光の反射または透過を制御する機能を備える。具体的には、液晶素子を偏光板と組み合わせて用いることができる。例えば、液晶材料を含む層７５３を液晶素子に用いることができる。
【０１８５】
表示素子７５０（ｉ，ｊ）は液晶材料を含む層７５３を備える（図６（Ａ）参照）。
【０１８６】
これにより、液晶材料を含む層に極性が反転する電界を、印加することができる。または、表示素子に生じる表示特性の不可逆な変化を抑制することができる。または、表示素子の焼き付きを防止することができる。または、画素回路に電流駆動能力が低いトランジスタを用いて、液晶材料を含む層に極性が反転する電界を印加することができる。その結果、利便性または信頼性に優れた新規な表示パネルを提供することができる。
【０１８７】
例えば、反射型の液晶表示素子を、表示素子７５０（ｉ，ｊ）に用いることができる。反射型の表示素子を用いることにより、表示パネルの消費電力を抑制することができる。
【０１８８】
例えば、透過型の液晶表示素子を表示素子７５０（ｉ，ｊ）に用いることができる。また、表示パネル７００は、バックライトＢＬが射出する光の透過を制御して、画像を表示する機能を備える。
【０１８９】
《液晶素子の構成例》
例えば、ＩＰＳ（Ｉｎ−Ｐｌａｎｅ−Ｓｗｉｔｃｈｉｎｇ）モード、ＴＮ（Ｔｗｉｓｔｅｄ  Ｎｅｍａｔｉｃ）モード、ＦＦＳ（Ｆｒｉｎｇｅ  Ｆｉｅｌｄ  Ｓｗｉｔｃｈｉｎｇ）モード、ＡＳＭ（Ａｘｉａｌｌｙ  Ｓｙｍｍｅｔｒｉｃ  ａｌｉｇｎｅｄ  Ｍｉｃｒｏ−ｃｅｌｌ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（ＡｎｔｉＦｅｒｒｏｅｌｅｃｔｒｉｃ  Ｌｉｑｕｉｄ  Ｃｒｙｓｔａｌ）モードなどの駆動方法を用いて駆動することができる液晶素子を用いることができる。
【０１９０】
また、例えば垂直配向（ＶＡ）モード、具体的には、ＭＶＡ（Ｍｕｌｔｉ−Ｄｏｍａｉｎ  Ｖｅｒｔｉｃａｌ  Ａｌｉｇｎｍｅｎｔ）モード、ＰＶＡ（Ｐａｔｔｅｒｎｅｄ  Ｖｅｒｔｉｃａｌ  Ａｌｉｇｎｍｅｎｔ）モード、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モード、ＣＰＡ（Ｃｏｎｔｉｎｕｏｕｓ  Ｐｉｎｗｈｅｅｌ  Ａｌｉｇｎｍｅｎｔ）モード、ＡＳＶ（Ａｄｖａｎｃｅｄ  Ｓｕｐｅｒ−Ｖｉｅｗ）モードなどの駆動方法を用いて駆動することができる液晶素子を用いることができる。
【０１９１】
《表示素子７５０（ｉ，ｊ）の構成例２．》
表示素子７５０（ｉ，ｊ）は、電極７５１（ｉ，ｊ）、電極７５２および液晶材料を含む層７５３を備える。
【０１９２】
電極７５１（ｉ，ｊ）は、開口部５９１Ａにおいて画素回路５３０（ｉ，ｊ）と電気的に接続される。
【０１９３】
電極７５２は、液晶材料の配向を制御する電界を、電極７５１（ｉ，ｊ）との間に形成するように配設される。
【０１９４】
表示素子７５０（ｉ，ｊ）は、配向膜ＡＦ１および配向膜ＡＦ２を備える。
【０１９５】
《液晶材料を含む層７５３》
液晶材料を含む層７５３は、配向膜ＡＦ１および配向膜ＡＦ２に挟まれる領域を備える。
【０１９６】
例えば、１．０×１０１３Ω・ｃｍ以上、好ましくは１．０×１０１４Ω・ｃｍ以上、さらに好ましくは１．０×１０１５Ω・ｃｍ以上の固有抵抗率を備える液晶材料を含む層７５３に用いることができる。これにより、表示素子７５０（ｉ，ｊ）の透過率の変動を抑制することができる。または、表示素子７５０（ｉ，ｊ）のチラツキを抑制することができる。または、表示素子７５０（ｉ，ｊ）を書き換える頻度を低減することができる。
【０１９７】
《構造体ＫＢ１》
構造体ＫＢ１は、機能層５２０および基板７７０の間に所定の間隙を設ける機能を備える。
【０１９８】
《画素回路５３０（ｉ，ｊ）の構成例２．》
画素回路５３０（ｉ，ｊ）は、スイッチＳＷ１を含む。例えば、トランジスタをスイッチＳＷ１に用いることができる。
【０１９９】
《スイッチＳＷ１の構成例１．》
スイッチＳＷ１に用いるトランジスタは半導体を含む（図６（Ｂ）参照）。
【０２００】
トランジスタは、半導体膜５０８、導電膜５０４、導電膜５１２Ａおよび導電膜５１２Ｂを備える（図６（Ｂ）参照）。
【０２０１】
半導体膜５０８は、導電膜５１２Ａと電気的に接続される領域５０８Ａ、導電膜５１２Ｂと電気的に接続される領域５０８Ｂを備える。半導体膜５０８は、領域５０８Ａおよび領域５０８Ｂの間に領域５０８Ｃを備える。
【０２０２】
導電膜５０４は領域５０８Ｃと重なる領域を備え、導電膜５０４はゲート電極の機能を備える。
【０２０３】
絶縁膜５０６は、半導体膜５０８および導電膜５０４の間に挟まれる領域を備える。絶縁膜５０６はゲート絶縁膜の機能を備える。
【０２０４】
導電膜５１２Ａはソース電極の機能またはドレイン電極の機能の一方を備え、導電膜５１２Ｂはソース電極の機能またはドレイン電極の機能の他方を備える。
【０２０５】
なお、例えば、同一の工程で形成することができる半導体膜を駆動回路および画素回路のトランジスタに用いることができる。
【０２０６】
例えば、ボトムゲート型のトランジスタまたはトップゲート型のトランジスタなどを駆動回路のトランジスタまたは画素回路のトランジスタに用いることができる。
【０２０７】
《半導体膜５０８》
例えば、１４族の元素を含む半導体を半導体膜５０８に用いることができる。具体的には、シリコンを含む半導体を半導体膜５０８に用いることができる。
【０２０８】
例えば、水素化アモルファスシリコンを半導体膜５０８に用いることができる。または、微結晶シリコンなどを半導体膜５０８に用いることができる。これにより、例えば、ポリシリコンを半導体膜５０８に用いる表示パネルより、表示ムラが少ない表示パネルを提供することができる。または、表示パネルの大型化が容易である。
【０２０９】
これにより、例えば、水素化アモルファスシリコンを利用したトランジスタを画素回路に用いることができる。または、極性を反転した直後において、第２の情報を劣化することなく画素に供給することができる。または、信号線Ｓ１（ｊ）と電気的に接続される第３の一群の画素の数を増やすことができる。その結果、利便性または信頼性に優れた新規な表示パネルを提供することができる。
【０２１０】
例えば、ポリシリコンを半導体膜５０８に用いることができる。これにより、例えば、水素化アモルファスシリコンを半導体膜５０８に用いるトランジスタより、トランジスタの電界効果移動度を高くすることができる。または、例えば、水素化アモルファスシリコンを半導体膜５０８に用いるトランジスタより、駆動能力を高めることができる。または、例えば、水素化アモルファスシリコンを半導体膜５０８に用いるトランジスタより、画素の開口率を向上することができる。
【０２１１】
または、駆動回路のトランジスタに用いる半導体膜を、画素回路のトランジスタに用いる半導体膜と同一の工程で形成することができる。または、画素回路を形成する基板と同一の基板上に駆動回路を形成することができる。または、電子機器を構成する部品数を低減することができる。
【０２１２】
または、例えば、水素化アモルファスシリコンを半導体膜５０８に用いるトランジスタより、トランジスタの信頼性を高めることができる。
【０２１３】
または、トランジスタの作製に要する温度を、例えば、単結晶シリコンを用いるトランジスタより、低くすることができる。
【０２１４】
例えば、単結晶シリコンを半導体膜５０８に用いることができる。これにより、例えば、水素化アモルファスシリコンを半導体膜５０８に用いる表示パネルより、精細度を高めることができる。または、例えば、ポリシリコンを半導体膜５０８に用いる表示パネルより、表示ムラが少ない表示パネルを提供することができる。または、例えば、スマートグラスまたはヘッドマウントディスプレイを提供することができる。
【０２１５】
例えば、化合物半導体をトランジスタの半導体に用いることができる。具体的には、ガリウムヒ素を含む半導体を用いることができる。
【０２１６】
例えば、有機半導体をトランジスタの半導体に用いることができる。具体的には、ポリアセン類またはグラフェンを含む有機半導体を半導体膜に用いることができる。
【０２１７】
《走査線Ｇ１（ｉ）および走査線Ｇ１（ｉ＋１）の構成例３．》
走査線Ｇ１（ｉ）は、２Ｈｚ以下または３０Ｈｚ以上の頻度で、好ましくは１Ｈｚ以下または６０Ｈｚ以上の頻度で、選択される。走査線Ｇ１（ｉ＋１）は、走査線Ｇ１（ｉ）と同じ頻度で選択される。
【０２１８】
画素回路５３０（ｉ，ｊ）はスイッチＳＷ１を含む。例えば、トランジスタをスイッチＳＷ１に用いることができる。
【０２１９】
《スイッチＳＷ１の構成例２．》
スイッチＳＷ１に用いるトランジスタは酸化物半導体を含む（図６（Ｂ）参照）。
【０２２０】
《半導体膜５０８の構成例２．》
例えば、酸化物半導体を用いるトランジスタを利用することができる。具体的には、インジウムを含む酸化物半導体またはインジウムとガリウムと亜鉛を含む酸化物半導体を半導体膜に用いることができる。
【０２２１】
一例を挙げれば、オフ状態におけるリーク電流が、半導体膜にアモルファスシリコンを用いたトランジスタより小さいトランジスタを用いることができる。具体的には、酸化物半導体を半導体膜に用いたトランジスタを用いることができる。
【０２２２】
これにより、アモルファスシリコンを半導体膜に用いたトランジスタを利用する画素回路と比較して、画素回路が画像信号を保持することができる時間を長くすることができる。具体的には、フリッカーの発生を抑制しながら、選択信号を３０Ｈｚ未満、好ましくは１Ｈｚ未満、より好ましくは一分に一回未満の頻度で供給することができる。その結果、情報処理装置の使用者に蓄積する疲労を低減することができる。また、駆動に伴う消費電力を低減することができる。
【０２２３】
例えば、インジウム、ガリウムおよび亜鉛を含む厚さ２５ｎｍの膜を、半導体膜５０８に用いることができる。
【０２２４】
例えば、タンタルおよび窒素を含む厚さ１０ｎｍの膜と、銅を含む厚さ３００ｎｍの膜と、を積層した導電膜を導電膜５０４に用いることができる。なお、銅を含む膜は、絶縁膜５０６との間に、タンタルおよび窒素を含む膜を挟む領域を備える。
【０２２５】
例えば、シリコンおよび窒素を含む厚さ４００ｎｍの膜と、シリコン、酸素および窒素を含む厚さ２００ｎｍの膜と、を積層した積層膜を、絶縁膜５０６に用いることができる。なお、シリコンおよび窒素を含む膜は、半導体膜５０８との間に、シリコン、酸素および窒素を含む膜を挟む領域を備える。
【０２２６】
例えば、タングステンを含む厚さ５０ｎｍの膜と、アルミニウムを含む厚さ４００ｎｍの膜と、チタンを含む厚さ１００ｎｍの膜と、をこの順で積層した導電膜を、導電膜５１２Ａまたは導電膜５１２Ｂに用いることができる。なお、タングステンを含む膜は、半導体膜５０８と接する領域を備える。
【０２２７】
ところで、例えば、アモルファスシリコンを半導体に用いるボトムゲート型のトランジスタの製造ラインは、酸化物半導体を半導体に用いるボトムゲート型のトランジスタの製造ラインに容易に改造できる。また、例えばポリシリコンを半導体に用いるトップゲート型のトランジスタの製造ラインは、酸化物半導体を半導体に用いるトップゲート型のトランジスタの製造ラインに容易に改造できる。いずれの改造も、既存の製造ラインを有効に活用することができる。
【０２２８】
これにより、チラツキを抑制することができる。または、消費電力を低減することができる。または、動きの速い動画を滑らかに表示することができる。または、豊かな階調で写真等を表示することができる。その結果、利便性または信頼性に優れた新規な表示パネルを提供することができる。
【０２２９】
《画素７０２（ｉ，ｊ）の構成例２．》
表示領域２３１は、複数の画素を備える。例えば、色相が互いに異なる色を表示する機能を備える画素を表示領域２３１に用いることができる。または、当該複数の画素を用いて、各々その画素では表示できない色相の色を、加法混色により表示することができる。
【０２３０】
なお、色相が異なる色を表示することができる複数の画素を混色に用いる場合において、それぞれの画素を副画素と言い換えることができる。また、複数の副画素を一組にして、画素と言い換えることができる。
【０２３１】
例えば、画素７０２（ｉ，ｊ）を副画素と言い換えることができ、画素７０２（ｉ，ｊ）、画素７０２（ｉ，ｊ＋１）および画素７０２（ｉ，ｊ＋２）を一組にして、画素７０３（ｉ，ｋ）と言い換えることができる（図４（Ｃ）参照）。
【０２３２】
具体的には、青色を表示する副画素、緑色を表示する副画素および赤色を表示する副画素を一組にして、画素７０３（ｉ，ｋ）に用いることができる。また、シアンを表示する副画素、マゼンタを表示する副画素およびイエローを表示する副画素を一組にして、画素７０３（ｉ，ｋ）に用いることができる。
【０２３３】
また、例えば、白色等を表示する副画素を上記の一組に加えて、画素に用いることができる。
【０２３４】
＜表示パネルの構成例７．＞
また、表示パネル７００は、基板５１０、基板７７０および絶縁膜５０１Ｃを備える（図６（Ａ）参照）。
【０２３５】
絶縁膜５０１Ｃは、基板５１０および基板７７０の間に挟まれる領域を備え、機能層５２０は、絶縁膜５０１Ｃおよび基板７７０の間に挟まれる領域を備える。
【０２３６】
《機能層５２０の構成例》
機能層５２０は、絶縁膜５２１を備える。絶縁膜５２１は、絶縁膜５２１Ａおよび絶縁膜５２１Ｂを備える。
【０２３７】
《絶縁膜５２１》
例えば、絶縁性の無機材料、絶縁性の有機材料または無機材料と有機材料を含む絶縁性の複合材料を、絶縁膜５２１に用いることができる。
【０２３８】
具体的には、無機酸化物膜、無機窒化物膜または無機酸化窒化物膜等またはこれらから選ばれた複数を積層した積層材料を、絶縁膜５２１に用いることができる。
【０２３９】
例えば、酸化シリコン膜、窒化シリコン膜、酸化窒化シリコン膜、酸化アルミニウム膜等またはこれらから選ばれた複数を積層した積層材料を含む膜を、絶縁膜５２１に用いることができる。なお、窒化シリコン膜は緻密な膜であり、不純物の拡散を抑制する機能に優れる。
【０２４０】
例えば、ポリエステル、ポリオレフィン、ポリアミド、ポリイミド、ポリカーボネート、ポリシロキサン若しくはアクリル樹脂等またはこれらから選択された複数の樹脂の積層材料もしくは複合材料などを絶縁膜５２１に用いることができる。また、感光性を有する材料を用いて形成してもよい。これにより、絶縁膜５２１は、例えば、絶縁膜５２１と重なるさまざまな構造に由来する段差を平坦化することができる。
【０２４１】
なお、ポリイミドは熱的安定性、絶縁性、靱性、低誘電率、低熱膨張率、耐薬品性などの特性において他の有機材料に比べて優れた特性を備える。これにより、特にポリイミドを絶縁膜５２１等に好適に用いることができる。
【０２４２】
例えば、感光性を有する材料を用いて形成された膜を絶縁膜５２１に用いることができる。具体的には、感光性のポリイミドまたは感光性のアクリル等を用いて形成された膜を絶縁膜５２１に用いることができる。
【０２４３】
例えば、透光性を有する材料を絶縁膜５２１に用いることができる。具体的には、窒化シリコンを絶縁膜５２１に用いることができる。
【０２４４】
例えば、青色の光を透過する材料、緑色の光を透過する材料または赤色の光を透過する材料を絶縁膜５２１に用いることができる。具体的には、着色材料を含む樹脂を絶縁膜５２１に用いることができる。例えば、染料または顔料を含むアクリル樹脂等を絶縁膜５２１に用いることができる。これにより、絶縁膜５２１を透過する光のスペクトルの幅を狭くすることができる。または、絶縁膜５２１を、例えばカラーフィルタに用いることができる。または、カラーフィルタオンアレイ型のバックプレーンを提供することができる。
【０２４５】
《機能層７２０》
機能層７２０は、着色膜ＣＦ、絶縁膜７７１および遮光膜ＢＭを備える。
【０２４６】
着色膜ＣＦは、基板７７０および表示素子７５０（ｉ，ｊ）の間に挟まれる領域を備える。
【０２４７】
遮光膜ＢＭは、画素７０２（ｉ，ｊ）と重なる領域に開口部を備える。
【０２４８】
絶縁膜７７１は、着色膜ＣＦと液晶材料を含む層７５３の間に挟まれる領域または遮光膜ＢＭと液晶材料を含む層７５３の間に挟まれる領域を備える。これにより、着色膜ＣＦの厚さに基づく凹凸を平坦にすることができる。または、遮光膜ＢＭまたは着色膜ＣＦ等から液晶材料を含む層７５３への不純物の拡散を、抑制することができる。
【０２４９】
《機能膜７７０Ｐ、機能膜７７０Ｄ等》
機能膜７７０Ｐは、表示素子７５０（ｉ，ｊ）と重なる領域を備える。また、機能膜７７０Ｄは、表示素子７５０（ｉ，ｊ）と重なる領域を備える。
【０２５０】
例えば、反射防止フィルム、偏光フィルム、位相差フィルム、光拡散フィルムまたは集光フィルム等を機能膜７７０Ｐまたは機能膜７７０Ｄに用いることができる。
【０２５１】
具体的には、円偏光フィルムを機能膜７７０Ｐに用いることができる。また、光拡散フィルムを機能膜７７０Ｄに用いることができる。
【０２５２】
また、ゴミの付着を抑制する帯電防止膜、汚れを付着しにくくする撥水性の膜、反射防止膜（アンチ・リフレクション膜）、非光沢処理膜（アンチ・グレア膜）、使用に伴う傷の発生を抑制するハードコート膜などを、機能膜７７０Ｐに用いることができる。
【０２５３】
なお、本実施の形態は、本明細書で示す他の実施の形態と適宜組み合わせることができる。
【０２５４】
（実施の形態３）
本実施の形態では、本発明の一態様の表示装置の構成について、図７を参照しながら説明する。
【０２５５】
図７は本発明の一態様の表示装置の構成を説明する図である。図７（Ａ）は本発明の一態様の表示装置のブロック図であり、図７（Ｂ−１）乃至図７（Ｂ−３）は本発明の一態様の表示装置の外観を説明する投影図である。
【０２５６】
＜表示装置の構成例＞
本実施の形態で説明する表示装置は、制御部２３８と、表示パネル７００とを有する（図７（Ａ）参照）。
【０２５７】
《制御部２３８の構成例》
制御部２３８は、画像情報Ｖ１および制御情報ＣＩを供給される。
【０２５８】
制御部２３８は画像情報Ｖ１に基づいて情報Ｖ１１を生成し、制御部２３８は情報Ｖ１１を供給する。例えば、情報Ｖ１１は、８ｂｉｔ以上好ましくは１２ｂｉｔ以上の階調を含む。
【０２５９】
具体的には、制御部２３８は、伸張回路２３４および画像処理回路２３５を備える。
【０２６０】
《伸張回路２３４》
伸張回路２３４は、圧縮された状態で供給される画像情報Ｖ１を伸張する機能を備える。伸張回路２３４は、記憶部を備える。記憶部は、例えば伸張された画像情報を記憶する機能を備える。
【０２６１】
《画像処理回路２３５》
画像処理回路２３５は、例えば、記憶領域を備える。記憶領域は、例えば、画像情報Ｖ１に含まれる情報を記憶する機能を備える。
【０２６２】
画像処理回路２３５は、例えば、所定の特性曲線に基づいて画像情報Ｖ１を補正して情報Ｖ１１を生成する機能と、情報Ｖ１１を供給する機能を備える。
【０２６３】
《表示パネルの構成例》
表示パネル７００は情報Ｖ１１を供給される。また、画素７０２（ｉ，ｊ）は、情報Ｖ１１に基づいて表示する。
【０２６４】
例えば、実施の形態１において説明する表示パネルを用いることができる。
【０２６５】
例えば、駆動回路ＧＤＡ（１）、駆動回路ＧＤＢ（１）、駆動回路ＧＤＡ（２）および駆動回路ＧＤＢ（２）は、制御信号ＳＰに基づいて選択信号を供給する機能を備える。
【０２６６】
例えば、駆動回路ＳＤＡ（１）、駆動回路ＳＤＢ（１）、駆動回路ＳＤＣ（１）、駆動回路ＳＤＡ（２）、駆動回路ＳＤＢ（２）および駆動回路ＳＤＣ（２）は制御信号ＳＰを供給され、情報Ｖ１１を供給する。
【０２６７】
これにより、表示素子を用いて画像情報を表示することができる。その結果、利便性または信頼性に優れた新規な表示装置を提供することができる。または、例えば、テレビジョン受像システム（図７（Ｂ−１）参照）、映像モニター（図７（Ｂ−２）参照）またはノートブックコンピュータ（図７（Ｂ−３）参照）などを提供することができる。
【０２６８】
なお、本実施の形態は、本明細書で示す他の実施の形態と適宜組み合わせることができる。
【０２６９】
（実施の形態４）
本実施の形態では、本発明の一態様の入出力装置の構成について、図８を参照しながら説明する。
【０２７０】
図８は本発明の一態様の入出力装置の構成を説明するブロック図である。
【０２７１】
＜入出力装置の構成例＞
本実施の形態で説明する入出力装置は、入力部２４０と、表示部２３０と、を有する（図８参照）。
【０２７２】
《表示部２３０》
例えば、実施の形態１に記載の表示パネル７００を表示部２３０に用いることができる。なお、入力部２４０および表示部２３０を有する構成のパネルを入出力パネル７００ＴＰということができる。
【０２７３】
《入力部２４０》
入力部２４０は検知領域２４１を備える。入力部２４０は検知領域２４１に近接するものを検知する機能を備える。
【０２７４】
検知領域２４１は、画素７０２（ｉ，ｊ）と重なる領域を備える。
【０２７５】
入力部２４０は発振回路ＯＳＣおよび検知回路ＤＣを備えることができる（図８参照）。
【０２７６】
《検知領域２４１》
検知領域２４１は、例えば、単数または複数の検知素子を備える。
【０２７７】
検知領域２４１は、一群の検知素子７７５（ｇ，１）乃至検知素子７７５（ｇ，ｑ）と、他の一群の検知素子７７５（１，ｈ）乃至検知素子７７５（ｐ，ｈ）と、を有する。なお、ｇは１以上ｐ以下の整数であり、ｈは１以上ｑ以下の整数であり、ｐおよびｑは１以上の整数である。
【０２７８】
一群の検知素子７７５（ｇ，１）乃至検知素子７７５（ｇ，ｑ）は、検知素子７７５（ｇ，ｈ）を含み、行方向（図中に矢印Ｒ２で示す方向）に配設される。なお、矢印Ｒ２で示す方向は、矢印Ｒ１で示す方向と同じであっても良いし、異なっていてもよい。
【０２７９】
また、他の一群の検知素子７７５（１，ｈ）乃至検知素子７７５（ｐ，ｈ）は、検知素子７７５（ｇ，ｈ）を含み、行方向と交差する列方向（図中に矢印Ｃ２で示す方向）に配設される。
【０２８０】
《検知素子》
検知素子は近接するポインタを検知する機能を備える。例えば、指やスタイラスペン等をポインタに用いることができる。例えば、金属片またはコイル等を、スタイラスペンに用いることができる。
【０２８１】
具体的には、静電容量方式の近接センサ、電磁誘導方式の近接センサ、光学方式の近接センサ、抵抗膜方式の近接センサなどを、検知素子に用いることができる。
【０２８２】
また、複数の方式の検知素子を併用することもできる。例えば、指を検知する検知素子と、スタイラスペンを検知する検知素子とを、併用することができる。
【０２８３】
これにより、ポインタの種類を判別することができる。または、判別したポインタの種類に基づいて、異なる命令を検知情報に関連付けることができる。具体的には、ポインタに指を用いたと判別した場合は、検知情報をジェスチャーと関連付けることができる。または、ポインターにスタイラスペンを用いたと判別した場合は、検知情報を描画処理と関連付けることができる。
【０２８４】
具体的には、静電容量方式または光学方式の近接センサを用いて、指を検知することができる。または、電磁誘導方式または光学方式の近接センサを用いて、スタイラスペンを検知することができる。
【０２８５】
なお、本実施の形態は、本明細書で示す他の実施の形態と適宜組み合わせることができる。
【０２８６】
（実施の形態５）
本実施の形態では、本発明の一態様の情報処理装置の構成について、図９乃至図１２を参照しながら説明する。
【０２８７】
図９（Ａ）は本発明の一態様の情報処理装置の構成を説明するブロック図である。図９（Ｂ）および図９（Ｃ）は、情報処理装置の外観の一例を説明する投影図である。
【０２８８】
図１０は、本発明の一態様のプログラムを説明するフローチャートである。図１０（Ａ）は、本発明の一態様のプログラムの主の処理を説明するフローチャートであり、図１０（Ｂ）は、割り込み処理を説明するフローチャートである。
【０２８９】
図１１は、本発明の一態様のプログラムを説明する図である。図１１（Ａ）は、本発明の一態様のプログラムの割り込み処理を説明するフローチャートである。また、図１１（Ｂ）は、情報処理装置の操作を説明する模式図であり、図１１（Ｃ）は、本発明の一態様の情報処理装置の動作を説明するタイミングチャートである。
【０２９０】
図１２（Ａ）は本発明の一態様の人工知能部を説明するブロック図であり、図１２（Ｂ）はニューラルネットワークを説明する図であり、図１２（Ｃ）は本発明の一態様のニューロン回路を説明するブロック図である。
【０２９１】
＜情報処理装置の構成例１．＞
本実施の形態で説明する情報処理装置は演算装置２１０と、入出力装置２２０と、を有する（図９（Ａ）参照）。なお、入出力装置２２０は、演算装置２１０と電気的に接続される。また、情報処理装置２００は筐体を備えることができる（図９（Ｂ）または図９（Ｃ）参照）。
【０２９２】
《演算装置２１０の構成例１．》
演算装置２１０は入力情報ＩＩまたは検知情報ＤＳを供給される。演算装置２１０は制御情報ＣＩおよび画像情報Ｖ１を供給する。
【０２９３】
演算装置２１０は、演算部２１１および記憶部２１２を備える。また、演算装置２１０は、伝送路２１４および入出力インターフェース２１５を備える。
【０２９４】
伝送路２１４は、演算部２１１、記憶部２１２、および入出力インターフェース２１５と電気的に接続される。
【０２９５】
《演算部２１１》
演算部２１１は、例えばプログラムを実行する機能を備える。
【０２９６】
《記憶部２１２》
記憶部２１２は、例えば演算部２１１が実行するプログラム、初期情報、設定情報または画像等を記憶する機能を有する。
【０２９７】
具体的には、ハードディスク、フラッシュメモリまたは酸化物半導体を含むトランジスタを用いたメモリ等を用いることができる。
【０２９８】
《入出力インターフェース２１５、伝送路２１４》
入出力インターフェース２１５は端子または配線を備え、情報を供給し、情報を供給される機能を備える。例えば、伝送路２１４と電気的に接続することができる。また、入出力装置２２０と電気的に接続することができる。
【０２９９】
伝送路２１４は配線を備え、情報を供給し、情報を供給される機能を備える。例えば、入出力インターフェース２１５と電気的に接続することができる。また、演算部２１１、記憶部２１２または入出力インターフェース２１５と電気的に接続することができる。
【０３００】
《入出力装置２２０の構成例》
入出力装置２２０は、入力情報ＩＩおよび検知情報ＤＳを供給する。入出力装置２２０は、制御情報ＣＩおよび画像情報Ｖ１を供給される（図９（Ａ）参照）。
【０３０１】
例えば、キーボードのスキャンコード、位置情報、ボタンの操作情報、音声情報または画像情報等を入力情報ＩＩに用いることができる。例えば、情報処理装置２００が使用される環境等の照度情報、姿勢情報、加速度情報、方位情報、圧力情報、温度情報または湿度情報等を検知情報ＤＳに用いることができる。
【０３０２】
例えば、画像情報Ｖ１を表示する輝度を制御する信号、彩度を制御する信号、色相を制御する信号を、制御情報ＣＩに用いることができる。または、画像情報Ｖ１の一部の表示を変化する信号を、制御情報ＣＩに用いることができる。
【０３０３】
入出力装置２２０は、表示部２３０、入力部２４０、検知部２５０、および通信部２９０を備える。例えば、実施の形態４において説明する入出力装置を用いることができる。
【０３０４】
表示部２３０は制御情報ＣＩに基づいて、画像情報Ｖ１を表示する。
【０３０５】
入力部２４０は入力情報ＩＩを生成する。
【０３０６】
検知部２５０は検知情報ＤＳを生成する。
【０３０７】
《表示部２３０》
表示部２３０は画像情報Ｖ１に基づいて画像を表示する機能を備える。表示部２３０は制御情報ＣＩに基づいて画像を表示する機能を備える。
【０３０８】
表示部２３０は、制御部２３８と、駆動回路ＧＤ１と、駆動回路ＳＤ１と、表示パネル７００と、を有する（図７参照）。例えば、実施の形態３において説明する表示装置を表示部２３０に用いることができる。
【０３０９】
《入力部２４０》
入力部２４０は、位置情報Ｐ１を供給する機能を備える。さまざまなヒューマンインターフェイス等を入力部２４０に用いることができる。
【０３１０】
例えば、キーボード、マウス、タッチセンサ、マイクまたはカメラ等を入力部２４０に用いることができる。なお、表示部２３０に重なる領域を備えるタッチセンサを用いることができる。表示部２３０と表示部２３０に重なる領域を備えるタッチセンサを備える入出力装置を、タッチパネルまたはタッチスクリーンということができる。
【０３１１】
例えば、使用者は、タッチパネルに触れた指をポインタに用いて様々なジェスチャー（タップ、ドラッグ、スワイプまたはピンチイン等）をすることができる。
【０３１２】
例えば、演算装置２１０は、タッチパネルに接触する指の位置または軌跡等の情報を解析し、解析結果が所定の条件を満たすとき、特定のジェスチャーが供給されたとすることができる。これにより、使用者は、所定のジェスチャーにあらかじめ関連付けられた所定の操作命令を、当該ジェスチャーを用いて供給できる。
【０３１３】
一例を挙げれば、使用者は、画像情報の表示位置を変更する「スクロール命令」を、タッチパネルに沿ってタッチパネルに接触する指を移動するジェスチャーを用いて供給できる。
【０３１４】
《検知部２５０》
検知部２５０は検知情報ＤＳを供給する機能を備える。検知部２５０は、例えば、情報処理装置２００が使用される環境の照度を検出する機能を備え、照度情報を供給する機能を備える。
【０３１５】
検知部２５０は、周囲の状態を検知して検知情報を供給する機能を備える。具体的には、照度情報、姿勢情報、加速度情報、方位情報、圧力情報、温度情報または湿度情報等を供給できる。
【０３１６】
例えば、光検出器、姿勢検出器、加速度センサ、方位センサ、ＧＰＳ（Ｇｌｏｂａｌ  ｐｏｓｉｔｉｏｎｉｎｇ  Ｓｙｓｔｅｍ）信号受信回路、圧力センサ、温度センサ、湿度センサまたはカメラ等を、検知部２５０に用いることができる。
【０３１７】
《通信部２９０》
通信部２９０は、ネットワークに情報を供給し、ネットワークから情報を取得する機能を備える。
【０３１８】
《筐体》
なお、筐体は入出力装置２２０または演算装置２１０を収納する機能を備える。または、筐体は表示部２３０または演算装置２１０を支持する機能を備える。
【０３１９】
これにより、情報処理装置は、情報処理装置が使用される環境において、情報処理装置の筐体が受ける光の強さを把握して動作することができる。または、情報処理装置の使用者は、表示方法を選択することができる。その結果、利便性または信頼性に優れた新規な情報処理装置を提供することができる。
【０３２０】
なお、これらの構成は明確に分離できず、一つの構成が他の構成を兼ねる場合や他の構成の一部を含む場合がある。例えばタッチセンサが表示パネルに重ねられたタッチパネルは、表示部であるとともに入力部でもある。
【０３２１】
《演算装置２１０の構成例２．》
演算装置２１０は人工知能部２１３を備える（図９（Ａ）参照）。
【０３２２】
《人工知能部２１３の構成例１．》
人工知能部２１３は、入力情報ＩＩまたは検知情報ＤＳに基づいて、制御情報ＣＩを生成する（図１２（Ａ）参照）。
【０３２３】
人工知能部２１３は半導体装置９０を備える。
【０３２４】
［入力情報ＩＩに対する自然言語処理］
具体的には、人工知能部２１３は入力情報ＩＩを自然言語処理して、入力情報ＩＩ全体から１つの特徴を抽出することができる。例えば、人工知能部２１３は、入力情報ＩＩに込められた感情等を推論し特徴とすることができる。また、当該特徴に好適であると経験的に感じられる色彩、模様または書体等を推論することができる。また、人工知能部２１３は、文字の色、模様または書体を指定する情報、背景の色または模様を指定する情報を生成し、制御情報ＣＩに用いることができる。
【０３２５】
具体的には、人工知能部２１３は入力情報ＩＩを自然言語処理して、入力情報ＩＩに含まれる一部の言葉を抽出することができる。例えば、人工知能部２１３は文法的な誤り、事実誤認または感情を含む表現等を抽出することができる。また、人工知能部２１３は、抽出した一部を他の一部とは異なる色彩、模様または書体等で表示する制御情報ＣＩを生成し、用いることができる。
【０３２６】
［入力情報ＩＩに対する画像処理］
具体的には、人工知能部２１３は入力情報ＩＩを画像処理して、入力情報ＩＩから１つの特徴を抽出することができる。例えば、人工知能部２１３は、入力情報ＩＩの画像が撮影された年代、屋内または屋外、昼または夜等を推論し特徴とすることができる。また、当該特徴に好適であると経験的に感じられる色調を推論し、当該色調を表示に用いるための制御情報ＣＩを生成することができる。具体的には、濃淡の表現に用いる色（例えば、フルカラー、白黒または茶褐色等）を指定する情報を制御情報ＣＩに用いることができる。
【０３２７】
具体的には、人工知能部２１３は入力情報ＩＩを画像処理して、入力情報ＩＩに含まれる一部の画像を抽出することができる。例えば、抽出した画像の一部と抽出した他の一部の間に境界を表示する制御情報ＣＩを生成することができる。具体的には、抽出した画像の一部を囲む矩形を表示する制御情報ＣＩを生成することができる。
【０３２８】
［検知情報ＤＳを用いる推論］
具体的には、人工知能部２１３は検知情報ＤＳを情報ＩＮに用いて、推論ＲＩを生成することができる。または、推論ＲＩに基づいて、情報処理装置２００の使用者が快適であると感じられるように制御情報ＣＩを生成することができる。
【０３２９】
具体的には、環境の照度等に基づいて、人工知能部２１３は、表示の明るさが快適であると感じられるように、表示の明るさを調整する制御情報ＣＩを生成することができる。または、人工知能部２１３は環境の騒音等に基づいて大きさが快適であると感じられるように、音量を調整する制御情報ＣＩを生成することができる。
【０３３０】
なお、表示部２３０が備える制御部２３８に供給するクロック信号またはタイミング信号などを制御情報ＣＩに用いることができる。または、入力部２４０が備える制御部に供給するクロック信号またはタイミング信号などを制御情報ＣＩに用いることができる。
【０３３１】
《半導体装置９０》
半導体装置９０は入力情報ＩＩまたは検知情報ＤＳに基づいて、制御情報ＣＩを供給する。
【０３３２】
半導体装置９０は情報ＩＮを供給され、推論ＲＩを供給する（図１２（Ａ）、図１２（Ｂ）参照）。例えば、入力情報ＩＩまたは検知情報ＤＳを情報ＩＮに用いることができる。または、例えば、推論ＲＩを制御情報ＣＩに用いることができる。
【０３３３】
例えば、半導体装置９０は、入力情報ＩＩまたは検知情報ＤＳから、特徴を抽出することができる。半導体装置９０は、抽出した特徴に基づいて制御情報ＣＩを生成することができる。
【０３３４】
例えば、半導体装置９０は、入力情報ＩＩまたは検知情報ＤＳから、一部を抽出することができる。半導体装置９０は、抽出した一部を他の一部とは異なるように表示する制御情報ＣＩを生成することができる。
【０３３５】
これにより、好適であると感じられるように表示する制御情報ＣＩを生成することができる。または、好適であると感じられるように表示することができる。または、快適であると感じられるように表示する制御情報ＣＩを生成することができる。または、快適であると感じられるように表示することができる。その結果、利便性または信頼性に優れた新規な情報処理装置を提供することができる。
【０３３６】
《半導体装置９０の構成例２．》
半導体装置９０はニューラルネットワーク８０を備える（図１２（Ａ）参照）。
【０３３７】
《ニューラルネットワーク８０》
ニューラルネットワーク８０は、入力層８１、中間層８２および出力層８３を備える（図１２（Ｂ）参照）。例えば、畳み込みニューラルネットワークをニューラルネットワーク８０に用いることができる。または、再帰型ニューラルネットワークをニューラルネットワーク８０に用いることができる。
【０３３８】
入力層８１は第１の一群のニューロン回路を備える。
【０３３９】
中間層８２は第２の一群のニューロン回路を備える。
【０３４０】
出力層８３は第３の一群のニューロン回路を備える。
【０３４１】
第２の一群のニューロン回路は、第１のニューロン回路７１および第２のニューロン回路７２を含む。
【０３４２】
第１のニューロン回路７１は、第１の一群のニューロン回路と電気的に接続される。
【０３４３】
第２のニューロン回路７２は、第３の一群のニューロン回路と電気的に接続される。
【０３４４】
第１の一群のニューロン回路は情報ＩＮを供給される。例えば、入力情報ＩＩまたは検知情報ＤＳを情報ＩＮに用いることができる。
【０３４５】
第３の一群のニューロン回路は、推論ＲＩを供給する。例えば、推論ＲＩを制御情報ＣＩに用いることができる。
【０３４６】
《第１のニューロン回路７１》
第１のニューロン回路７１は積和演算器１０および変換器３０を備える（図１２（Ｃ）参照）。
【０３４７】
《積和演算器１０》
積和演算器１０は一群の入力信号Ｘ［１］乃至入力信号Ｘ［Ｎ］を供給される。積和演算器１０は一群の重み情報Ｗ［１］乃至重み情報Ｗ［Ｎ］を供給される。また、積和演算器１０はバイアス信号Ｂを供給される。
【０３４８】
積和演算器１０は一群の入力信号Ｘ［１］乃至入力信号Ｘ［Ｎ］および重み情報Ｗ［１］乃至重み情報Ｗ［Ｎ］の積和値およびバイアス信号Ｂに基づいて積和信号Ｕを生成し、供給する。
【０３４９】
《変換器３０》
変換器３０は積和演算器１０と電気的に接続される。変換器３０は積和信号Ｕに基づいて出力信号ｆ（Ｕ）を生成し供給する。
【０３５０】
＜情報処理装置の構成例３．＞
本発明の一態様の情報処理装置の別の構成について、図１０（Ａ）および図１０（Ｂ）を参照しながら説明する。
【０３５１】
《プログラム》
本発明の一態様のプログラムは、下記のステップを有する（図１０（Ａ）参照）。
【０３５２】
［第１のステップ］
第１のステップにおいて、設定を初期化する（図１０（Ａ）（Ｓ１）参照）。
【０３５３】
例えば、起動時に表示する所定の画像情報と、当該画像情報を表示する所定のモードと、当該画像情報を表示する所定の表示方法を特定する情報と、を記憶部２１２から取得する。具体的には、一の静止画像情報または他の動画像情報を所定の画像情報に用いることができる。また、第１のモードまたは第２のモードを所定のモードに用いることができる。
【０３５４】
［第２のステップ］
第２のステップにおいて、割り込み処理を許可する（図１０（Ａ）（Ｓ２）参照）。なお、割り込み処理が許可された演算装置は、主の処理と並行して割り込み処理を行うことができる。割り込み処理から主の処理に復帰した演算装置は、割り込み処理をして得た結果を主の処理に反映することができる。
【０３５５】
なお、カウンタの値が初期値であるとき、演算装置に割り込み処理をさせ、割り込み処理から復帰する際に、カウンタを初期値以外の値としてもよい。これにより、プログラムを起動した後に常に割り込み処理をさせることができる。
【０３５６】
［第３のステップ］
第３のステップにおいて、第１のステップまたは割り込み処理において選択された、所定のモードまたは所定の表示方法を用いて画像情報を表示する（図１０（Ａ）（Ｓ３）参照）。なお、所定のモードは情報を表示するモードを特定し、所定の表示方法は画像情報を表示する方法を特定する。また、例えば、画像情報Ｖ１を表示する情報に用いることができる。
【０３５７】
例えば、画像情報Ｖ１を表示する一の方法を、第１のモードに関連付けることができる。または、画像情報Ｖ１を表示する他の方法を第２のモードに関連付けることができる。これにより、選択されたモードに基づいて表示方法を選択することができる。
【０３５８】
《第１のモード》
具体的には、３０Ｈｚ以上、好ましくは６０Ｈｚ以上の頻度で一の走査線に選択信号を供給し、選択信号に基づいて表示をする方法を、第１のモードに関連付けることができる。
【０３５９】
例えば、３０Ｈｚ以上、好ましくは６０Ｈｚ以上の頻度で選択信号を供給すると、動画像の動きを滑らかに表示することができる。
【０３６０】
例えば、３０Ｈｚ以上、好ましくは６０Ｈｚ以上の頻度で画像を更新すると、使用者の操作に滑らかに追従するように変化する画像を、使用者が操作中の情報処理装置２００に表示することができる。
【０３６１】
《第２のモード》
具体的には、３０Ｈｚ未満、好ましくは１Ｈｚ未満、より好ましくは一分に一回未満の頻度で一の走査線に選択信号を供給し、選択信号に基づいて表示をする方法を、第２のモードに関連付けることができる。
【０３６２】
３０Ｈｚ未満、好ましくは１Ｈｚ未満、より好ましくは一分に一回未満の頻度で選択信号を供給すると、フリッカーまたはちらつきが抑制された表示をすることができる。また、消費電力を低減することができる。
【０３６３】
例えば、情報処理装置２００を時計に用いる場合、１秒に一回の頻度または１分に一回の頻度等で表示を更新することができる。
【０３６４】
ところで、例えば、発光素子を表示素子に用いる場合、発光素子をパルス状に発光させて、画像情報を表示することができる。具体的には、パルス状に有機ＥＬ素子を発光させて、その残光を表示に用いることができる。有機ＥＬ素子は優れた周波数特性を備えるため、発光素子を駆動する時間を短縮し、消費電力を低減することができる場合がある。または、発熱が抑制されるため、発光素子の劣化を軽減することができる場合がある。
【０３６５】
［第４のステップ］
第４のステップにおいて、終了命令が供給された場合は第５のステップに進み、終了命令が供給されなかった場合は第３のステップに進むように選択する（図１０（Ａ）（Ｓ４）参照）。
【０３６６】
例えば、割り込み処理において供給された終了命令を判断に用いてもよい。
【０３６７】
［第５のステップ］
第５のステップにおいて、終了する（図１０（Ａ）（Ｓ５）参照）。
【０３６８】
《割り込み処理》
割り込み処理は以下の第６のステップ乃至第８のステップを備える（図１０（Ｂ）参照）。
【０３６９】
［第６のステップ］
第６のステップにおいて、例えば、検知部２５０を用いて、情報処理装置２００が使用される環境の照度を検出する（図１０（Ｂ）（Ｓ６）参照）。なお、環境の照度に代えて環境光の色温度や色度を検出してもよい。
【０３７０】
［第７のステップ］
第７のステップにおいて、検出した照度情報に基づいて表示方法を決定する（図１０（Ｂ）（Ｓ７）参照）。例えば、表示の明るさを暗すぎないように、または明るすぎないように決定する。
【０３７１】
なお、第６のステップにおいて環境光の色温度や環境光の色度を検出した場合は、表示の色味を調節してもよい。
【０３７２】
［第８のステップ］
第８のステップにおいて、割り込み処理を終了する（図１０（Ｂ）（Ｓ８）参照）。
【０３７３】
＜情報処理装置の構成例３．＞
本発明の一態様の情報処理装置の別の構成について、図１１を参照しながら説明する。
【０３７４】
図１１（Ａ）は、本発明の一態様のプログラムを説明するフローチャートである。図１１（Ａ）は、図１０（Ｂ）に示す割り込み処理とは異なる割り込み処理を説明するフローチャートである。
【０３７５】
なお、情報処理装置の構成例３は、供給された所定のイベントに基づいて、モードを変更するステップを割り込み処理に有する点が、図１０（Ｂ）を参照しながら説明する割り込み処理とは異なる。ここでは、異なる部分について詳細に説明し、同様の構成を用いることができる部分について上記の説明を援用する。
【０３７６】
《割り込み処理》
割り込み処理は以下の第６のステップ乃至第８のステップを備える（図１１（Ａ）参照）。
【０３７７】
［第６のステップ］
第６のステップにおいて、所定のイベントが供給された場合は、第７のステップに進み、所定のイベントが供給されなかった場合は、第８のステップに進む（図１１（Ａ）（Ｕ６）参照）。例えば、所定の期間に所定のイベントが供給されたか否かを条件に用いることができる。具体的には、５秒以下、１秒以下または０．５秒以下好ましくは０．１秒以下であって０秒より長い期間を所定の期間とすることができる。
【０３７８】
［第７のステップ］
第７のステップにおいて、モードを変更する（図１１（Ａ）（Ｕ７）参照）。具体的には、第１のモードを選択していた場合は、第２のモードを選択し、第２のモードを選択していた場合は、第１のモードを選択する。
【０３７９】
例えば、表示部２３０の一部の領域について、表示モードを変更することができる。具体的には、駆動回路ＧＤＡ、駆動回路ＧＤＢおよび駆動回路ＧＤＣを備える表示部２３０の一の駆動回路が選択信号を供給する領域について、表示モードを変更することができる（図１１（Ｂ）参照）。
【０３８０】
例えば、駆動回路ＧＤＢが選択信号を供給する領域と重なる領域にある入力部２４０に、所定のイベントが供給された場合に、駆動回路ＧＤＢが選択信号を供給する領域の表示モードを変更することができる（図１１（Ｂ）および図１１（Ｃ）参照）。具体的には、指等を用いてタッチパネルに供給する「タップ」イベントに応じて、駆動回路ＧＤＢが供給する選択信号の頻度を変更することができる。
【０３８１】
なお、信号ＧＣＬＫは駆動回路ＧＤＢの動作を制御するクロック信号であり、信号ＰＷＣ１および信号ＰＷＣ２は駆動回路ＧＤＢの動作を制御するパルス幅制御信号である。駆動回路ＧＤＢは、信号ＧＣＬＫ、信号ＰＷＣ１および信号ＰＷＣ２等に基づいて、選択信号を走査線Ｇ２（ｍ＋１）乃至走査線Ｇ２（２ｍ）に供給する。
【０３８２】
これにより、例えば、駆動回路ＧＤＡおよび駆動回路ＧＤＣが選択信号を供給することなく、駆動回路ＧＤＢが選択信号を供給することができる。または、駆動回路ＧＤＡおよび駆動回路ＧＤＣが選択信号を供給する領域の表示を変えることなく、駆動回路ＧＤＢが選択信号を供給する領域の表示を更新することができる。または、駆動回路が消費する電力を抑制することができる。
【０３８３】
［第８のステップ］
第８のステップにおいて、割り込み処理を終了する（図１１（Ａ）（Ｕ８）参照）。なお、主の処理を実行している期間に割り込み処理を繰り返し実行してもよい。
【０３８４】
《所定のイベント》
例えば、マウス等のポインティング装置を用いて供給する、「クリック」や「ドラッグ」等のイベント、指等をポインタに用いてタッチパネルに供給する、「タップ」、「ドラッグ」または「スワイプ」等のイベントを用いることができる。
【０３８５】
また、例えば、ポインタが指し示すスライドバーの位置、スワイプの速度、ドラッグの速度等を用いて、所定のイベントに関連付けられた命令の引数を与えることができる。
【０３８６】
例えば、検知部２５０が検知した情報をあらかじめ設定された閾値と比較して、比較結果をイベントに用いることができる。
【０３８７】
具体的には、筐体に押し込むことができるように配設されたボタン等に接する感圧検知器等を検知部２５０に用いることができる。
【０３８８】
《所定のイベントに関連付ける命令》
例えば、終了命令を、特定のイベントに関連付けることができる。
【０３８９】
例えば、表示されている一の画像情報から他の画像情報に表示を切り替える「ページめくり命令」を、所定のイベントに関連付けることができる。なお、「ページめくり命令」を実行する際に用いるページをめくる速度などを決定する引数を、所定のイベントを用いて与えることができる。
【０３９０】
例えば、一の画像情報の表示されている一部分の表示位置を移動して、一部分に連続する他の部分を表示する「スクロール命令」などを、所定のイベントに関連付けることができる。なお、「スクロール命令」を実行する際に用いる表示を移動する速度などを決定する引数を、所定のイベントを用いて与えることができる。
【０３９１】
例えば、表示方法を設定する命令または画像情報を生成する命令などを、所定のイベントに関連付けることができる。なお、生成する画像の明るさを決定する引数を所定のイベントに関連付けることができる。また、生成する画像の明るさを決定する引数を、検知部２５０が検知する環境の明るさに基づいて決定してもよい。
【０３９２】
例えば、プッシュ型のサービスを用いて配信される情報を、通信部２９０を用いて取得する命令などを、所定のイベントに関連付けることができる。
【０３９３】
なお、情報を取得する資格の有無を、検知部２５０が検知する位置情報を用いて判断してもよい。具体的には、所定の教室、学校、会議室、企業、建物等の内部または領域にいる場合に、情報を取得する資格を有すると判断してもよい。これにより、例えば、学校または大学等の教室で配信される教材を受信して、情報処理装置２００を教科書等に用いることができる（図９（Ｃ）参照）。または、企業等の会議室で配信される資料を受信して、会議資料に用いることができる。
【０３９４】
なお、本実施の形態は、本明細書で示す他の実施の形態と適宜組み合わせることができる。
【０３９５】
（実施の形態６）
本実施の形態では、本発明の一態様の情報処理装置の構成について、図１３および図１４を参照しながら説明する。
【０３９６】
図１３および図１４は、本発明の一態様の情報処理装置の構成を説明する図である。図１３（Ａ）は情報処理装置のブロック図であり、図１３（Ｂ）乃至図１３（Ｅ）は情報処理装置の構成を説明する斜視図である。また、図１４（Ａ）乃至図１４（Ｅ）は情報処理装置の構成を説明する斜視図である。
【０３９７】
＜情報処理装置＞
本実施の形態で説明する情報処理装置５２００Ｂは、演算装置５２１０と、入出力装置５２２０とを、有する（図１３（Ａ）参照）。
【０３９８】
演算装置５２１０は、操作情報を供給される機能を備え、操作情報に基づいて画像情報を供給する機能を備える。
【０３９９】
入出力装置５２２０は、表示部５２３０、入力部５２４０、検知部５２５０、通信部５２９０、操作情報を供給する機能および画像情報を供給される機能を備える。また、入出力装置５２２０は、検知情報を供給する機能、通信情報を供給する機能および通信情報を供給される機能を備える。
【０４００】
入力部５２４０は操作情報を供給する機能を備える。例えば、入力部５２４０は、情報処理装置５２００Ｂの使用者の操作に基づいて操作情報を供給する。
【０４０１】
具体的には、キーボード、ハードウェアボタン、ポインティングデバイス、タッチセンサ、照度センサ、撮像装置、音声入力装置、視線入力装置、姿勢検出装置などを、入力部５２４０に用いることができる。
【０４０２】
表示部５２３０は表示パネルおよび画像情報を表示する機能を備える。例えば、実施の形態１または実施の形態２において説明する表示パネルを表示部５２３０に用いることができる。
【０４０３】
検知部５２５０は検知情報を供給する機能を備える。例えば、情報処理装置が使用されている周辺の環境を検知して、検知情報として供給する機能を備える。
【０４０４】
具体的には、照度センサ、撮像装置、姿勢検出装置、圧力センサ、人感センサなどを検知部５２５０に用いることができる。
【０４０５】
通信部５２９０は通信情報を供給される機能および供給する機能を備える。例えば、無線通信または有線通信により、他の電子機器または通信網と接続する機能を備える。具体的には、無線構内通信、電話通信、近距離無線通信などの機能を備える。
【０４０６】
《情報処理装置の構成例１．》
例えば、円筒状の柱などに沿った外形を表示部５２３０に適用することができる（図１３（Ｂ）参照）。また、使用環境の照度に応じて、表示方法を変更する機能を備える。また、人の存在を検知して、表示内容を変更する機能を備える。これにより、例えば、建物の柱に設置することができる。または、広告または案内等を表示することができる。または、デジタル・サイネージ等に用いることができる。
【０４０７】
《情報処理装置の構成例２．》
例えば、使用者が使用するポインタの軌跡に基づいて画像情報を生成する機能を備える（図１３（Ｃ）参照）。具体的には、対角線の長さが２０インチ以上、好ましくは４０インチ以上、より好ましくは５５インチ以上の表示パネルを用いることができる。または、複数の表示パネルを並べて１つの表示領域に用いることができる。または、複数の表示パネルを並べてマルチスクリーンに用いることができる。これにより、例えば、電子黒板、電子掲示板、電子看板等に用いることができる。
【０４０８】
《情報処理装置の構成例３．》
例えば、使用環境の照度に応じて、表示方法を変更する機能を備える（図１３（Ｄ）参照）。これにより、例えば、スマートウオッチの消費電力を低減することができる。または、例えば、晴天の屋外等の外光の強い環境においても好適に使用できるように、画像をスマートウオッチに表示することができる。
【０４０９】
《情報処理装置の構成例４．》
表示部５２３０は、例えば、筐体の側面に沿って緩やかに曲がる曲面を備える（図１３（Ｅ）参照）。または、表示部５２３０は表示パネルを備え、表示パネルは、例えば、前面、側面および上面に表示する機能を備える。これにより、例えば、携帯電話の前面だけでなく、側面および上面に画像情報を表示することができる。
【０４１０】
《情報処理装置の構成例５．》
例えば、使用環境の照度に応じて、表示方法を変更する機能を備える（図１４（Ａ）参照）。これにより、スマートフォンの消費電力を低減することができる。または、例えば、晴天の屋外等の外光の強い環境においても好適に使用できるように、画像をスマートフォンに表示することができる。
【０４１１】
《情報処理装置の構成例６．》
例えば、使用環境の照度に応じて、表示方法を変更する機能を備える（図１４（Ｂ）参照）。これにより、晴天の日に屋内に差し込む強い外光が当たっても好適に使用できるように、映像をテレビジョンシステムに表示することができる。
【０４１２】
《情報処理装置の構成例７．》
例えば、使用環境の照度に応じて、表示方法を変更する機能を備える（図１４（Ｃ）参照）。これにより、例えば、晴天の屋外等の外光の強い環境においても好適に使用できるように、画像をタブレットコンピュータに表示することができる。
【０４１３】
《情報処理装置の構成例８．》
例えば、使用環境の照度に応じて、表示方法を変更する機能を備える（図１４（Ｄ）参照）。これにより、例えば、晴天の屋外等の外光の強い環境においても好適に閲覧できるように、被写体をデジタルカメラに表示することができる。
【０４１４】
《情報処理装置の構成例９．》
例えば、使用環境の照度に応じて、表示方法を変更する機能を備える（図１４（Ｅ）参照）。これにより、例えば、晴天の屋外等の外光の強い環境においても好適に使用できるように、画像をパーソナルコンピュータに表示することができる。
【０４１５】
なお、本実施の形態は、本明細書で示す他の実施の形態と適宜組み合わせることができる。
【０４１６】
例えば、本明細書等において、ＸとＹとが接続されている、と明示的に記載されている場合は、ＸとＹとが電気的に接続されている場合と、ＸとＹとが機能的に接続されている場合と、ＸとＹとが直接接続されている場合とが、本明細書等に開示されているものとする。したがって、所定の接続関係、例えば、図または文章に示された接続関係に限定されず、図または文章に示された接続関係以外のものも、図または文章に記載されているものとする。
【０４１７】
ここで、Ｘ、Ｙは、対象物（例えば、装置、素子、回路、配線、電極、端子、導電膜、層、など）であるとする。
【０４１８】
ＸとＹとが直接的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に接続されていない場合であり、ＸとＹとの電気的な接続を可能とする素子（例えば、スイッチ、トランジスタ、容量素子、インダクタ、抵抗素子、ダイオード、表示素子、発光素子、負荷など）を介さずに、ＸとＹとが、接続されている場合である。
【０４１９】
ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、または、非導通状態（オフ状態）になり、電流を流すか流さないかを制御する機能を有している。または、スイッチは、電流を流す経路を選択して切り替える機能を有している。なお、ＸとＹとが電気的に接続されている場合は、ＸとＹとが直接的に接続されている場合を含むものとする。
【０４２０】
ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅または電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。なお、ＸとＹとが機能的に接続されている場合は、ＸとＹとが直接的に接続されている場合と、ＸとＹとが電気的に接続されている場合とを含むものとする。
【０４２１】
なお、ＸとＹとが電気的に接続されている、と明示的に記載されている場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とが、本明細書等に開示されているものとする。つまり、電気的に接続されている、と明示的に記載されている場合は、単に、接続されている、とのみ明示的に記載されている場合と同様な内容が、本明細書等に開示されているものとする。
【０４２２】
なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【０４２３】
例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。または、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。または、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。
【０４２４】
または、別の表現方法として、例えば、「トランジスタのソース（又は第１の端子など）は、少なくとも第１の接続経路を介して、Ｘと電気的に接続され、前記第１の接続経路は、第２の接続経路を有しておらず、前記第２の接続経路は、トランジスタを介した、トランジスタのソース（又は第１の端子など）とトランジスタのドレイン（又は第２の端子など）との間の経路であり、前記第１の接続経路は、Ｚ１を介した経路であり、トランジスタのドレイン（又は第２の端子など）は、少なくとも第３の接続経路を介して、Ｙと電気的に接続され、前記第３の接続経路は、前記第２の接続経路を有しておらず、前記第３の接続経路は、Ｚ２を介した経路である。」と表現することができる。または、「トランジスタのソース（又は第１の端子など）は、少なくとも第１の接続経路によって、Ｚ１を介して、Ｘと電気的に接続され、前記第１の接続経路は、第２の接続経路を有しておらず、前記第２の接続経路は、トランジスタを介した接続経路を有し、トランジスタのドレイン（又は第２の端子など）は、少なくとも第３の接続経路によって、Ｚ２を介して、Ｙと電気的に接続され、前記第３の接続経路は、前記第２の接続経路を有していない。」と表現することができる。または、「トランジスタのソース（又は第１の端子など）は、少なくとも第１の電気的パスによって、Ｚ１を介して、Ｘと電気的に接続され、前記第１の電気的パスは、第２の電気的パスを有しておらず、前記第２の電気的パスは、トランジスタのソース（又は第１の端子など）からトランジスタのドレイン（又は第２の端子など）への電気的パスであり、トランジスタのドレイン（又は第２の端子など）は、少なくとも第３の電気的パスによって、Ｚ２を介して、Ｙと電気的に接続され、前記第３の電気的パスは、第４の電気的パスを有しておらず、前記第４の電気的パスは、トランジスタのドレイン（又は第２の端子など）からトランジスタのソース（又は第１の端子など）への電気的パスである。」と表現することができる。これらの例と同様な表現方法を用いて、回路構成における接続経路について規定することにより、トランジスタのソース（又は第１の端子など）と、ドレイン（又は第２の端子など）とを、区別して、技術的範囲を決定することができる。
【０４２５】
なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【０４２６】
なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【符号の説明】
【０４２７】
ＧＤＡ    駆動回路
ＧＤＢ    駆動回路
ＧＤＣ    駆動回路
ＳＤＡ    駆動回路
ＳＤＢ    駆動回路
ＳＤＣ    駆動回路
ＳＰ    制御信号
ＣＩ    制御情報
ＤＳ    検知情報
ＧＣＬＫ    信号
ＩＩ    入力情報
ＩＮ    情報
ＲＩ    推論
Ｂ    バイアス信号
ｆ（Ｕ）    出力信号
Ｗ    重み情報
Ｘ    入力信号
Ｕ    積和信号
ＡＦ１    配向膜
ＡＦ２    配向膜
Ｇ１    走査線
Ｇ２    走査線
ＧＤ１    駆動回路
ＫＢ１    構造体
Ｐ１    位置情報
ＰＷＣ１    信号
ＰＷＣ２    信号
Ｓ１    信号線
ＳＤ１    駆動回路
ＳＷ１    スイッチ
Ｔ１    期間
Ｔ２    期間
Ｔ３    期間
Ｔ４    期間
Ｔ５    期間
Ｔ６    期間
Ｔ１１    期間
Ｖ１    画像情報
Ｖ１１    情報
Ｖ１１（ｊ）    信号
Ｖ１１（ｊ＋１）    信号
１０    積和演算器
３０    変換器
７１    ニューロン回路
７２    ニューロン回路
８０    ニューラルネットワーク
８１    入力層
８２    中間層
８３    出力層
９０    半導体装置
２００    情報処理装置
２１０    演算装置
２１１    演算部
２１２    記憶部
２１３    人工知能部
２１４    伝送路
２１５    入出力インターフェース
２２０    入出力装置
２３０    表示部
２３１    表示領域
２３３    制御回路
２３４    伸張回路
２３５    画像処理回路
２３８    制御部
２４０    入力部
２４１    検知領域
２５０    検知部
２９０    通信部
５０１Ｃ    絶縁膜
５０４    導電膜
５０６    絶縁膜
５０８    半導体膜
５０８Ａ    領域
５０８Ｂ    領域
５０８Ｃ    領域
５１０    基板
５１２Ａ    導電膜
５１２Ｂ    導電膜
５２０    機能層
５２１    絶縁膜
５２１Ａ    絶縁膜
５２１Ｂ    絶縁膜
５３０    画素回路
５９１Ａ    開口部
７００    表示パネル
７００ＴＰ    入出力パネル
７０２    画素
７０３    画素
７２０    機能層
７５０    表示素子
７５１    電極
７５２    電極
７５３    液晶材料を含む層
７７０    基板
７７０Ｄ    機能膜
７７０Ｐ    機能膜
７７１    絶縁膜
７７５    検知素子
５２００Ｂ    情報処理装置
５２１０    演算装置
５２２０    入出力装置
５２３０    表示部
５２４０    入力部
５２５０    検知部
５２９０    通信部
【図１】
2019015963.tif 000003
【図２】
2019015963.tif 000004
【図３】
2019015963.tif 000005
【図４】
2019015963.tif 000006
【図５】
2019015963.tif 000007
【図６】
2019015963.tif 000008
【図７】
2019015963.tif 000009
【図８】
2019015963.tif 000010
【図９】
2019015963.tif 000011
【図１０】
2019015963.tif 000012
【図１１】
2019015963.tif 000013
【図１２】
2019015963.tif 000014
【図１３】
2019015963.tif 000015
【図１４】
2019015963.tif 000016